(57)【要約】  本出願の実施例はアクセス遅延を減らすことができる情報伝送方法、ネットワーク装置及び端末装置を提供する。該方法は、ターゲットセルが測定信号の配置情報を取得することであって、前記測定信号の配置情報が、端末装置が前記測定信号の配置情報に基づいて前記測定信号を送信することに用いられることと、前記ターゲットセルが前記端末装置から送信された前記測定信号に基づき、前記ターゲットセルの少なくとも一つのアップリンク伝送チャネルに対応するビームを確定することと、前記ターゲットセルが前記ターゲットセルの少なくとも一つのアップリンク伝送チャネルに対応するビームを用いて前記少なくとも一つのアップリンク伝送チャネルを伝送することとを含む。
2020504952.tif 000002
【特許請求の範囲】
【請求項１】
情報伝送方法であって、
ターゲットセルが測定信号の配置情報を取得することであって、前記測定信号の配置情報が、端末装置が前記測定信号の配置情報に基づいて前記測定信号を送信することに用いられることと、
前記ターゲットセルが前記端末装置から送信された前記測定信号に基づき、前記ターゲットセルの少なくとも一つのアップリンク伝送チャネルに対応するビームを確定することと、
前記ターゲットセルが前記ターゲットセルの少なくとも一つのアップリンク伝送チャネルに対応するビームを用いて前記少なくとも一つのアップリンク伝送チャネルを伝送することとを含む、前記情報伝送方法。
【請求項２】
前記ターゲットセルが前記端末装置から送信された前記測定信号に基づき、前記端末装置の少なくとも一つのアップリンク伝送チャネルに対応するビームの識別情報、及び／又は前記少なくとも一つのアップリンク伝送チャネルを伝送するためのリソース情報を確定することと、
前記ターゲットセルがソースセルへ第一の通知メッセージを送信することであって、前記第一の通知メッセージが前記ターゲットセルによって確定された前記端末装置の少なくとも一つのアップリンク伝送チャネルに対応するビームの識別情報、及び／又は前記少なくとも一つのアップリンク伝送チャネルを伝送するためのリソース情報を含むこととをさらに含むことを特徴とする
請求項１に記載の情報伝送方法。
【請求項３】
前記測定信号の配置情報は、
前記測定信号を送信するための時間領域リソースの情報、前記測定信号を送信するための周波数領域リソースの情報、前記測定信号を送信するためのチャネル又は信号リソースの情報と前記測定信号の送信方式のうちの少なくとも一つを含むことを特徴とする
請求項１又は２に記載の情報伝送方法。
【請求項４】
前記測定信号の配置情報はソースセルと前記ターゲットセルとのネゴシエーションによって確定されることを特徴とする
請求項１−３のいずれか一項に記載の情報伝送方法。
【請求項５】
前記ターゲットセルが測定信号の配置情報を取得することは、
前記ターゲットセルがソースセルから送信された前記測定信号の配置情報を受信することであって、前記測定信号の配置情報が前記ソースセルによって前記端末装置の周期的に送信される信号の情報に基づいて確定されることを特徴とする
請求項１−３のいずれか一項に記載の情報伝送方法。
【請求項６】
前記端末装置の少なくとも一つのアップリンク伝送チャネルに対応するビームの識別情報は前記端末装置の少なくとも一つのアップリンク伝送チャネルに対応するビームのビーム識別子又は番号を含み、
前記少なくとも一つのアップリンク伝送チャネルを伝送するためのリソース情報は、
前記端末装置の少なくとも一つのアップリンク伝送チャネルを伝送するための時間領域リソースの情報と周波数領域リソースの情報のうちの少なくとも一つを含むことを特徴とする
請求項２−５のいずれか一項に記載の情報伝送方法。
【請求項７】
ソースセルと前記ターゲットセルは同一のネットワーク装置に属することを特徴とする
請求項１−６のいずれか一項に記載の情報伝送方法。
【請求項８】
ソースセルと前記ターゲットセルは異なるネットワーク装置に属することを特徴とする
請求項１−６のいずれか一項に記載の情報伝送方法。
【請求項９】
情報伝送方法であって、
端末装置が測定信号を送信することであって、前記測定信号が、前記ターゲットセルが前記端末装置の少なくとも一つのアップリンク伝送チャネルに対応するビームの識別情報、及び／又は前記少なくとも一つのアップリンク伝送チャネルを伝送するためのリソース情報を確定することに用いられることと、
前記端末装置がソースセルの通知メッセージを受信することであって、前記通知メッセージが前記ターゲットセルによって確定された前記端末装置の少なくとも一つのアップリンク伝送チャネルに対応するビームの識別情報、及び／又は前記少なくとも一つのアップリンク伝送チャネルを伝送するためのリソース情報を含むこととを含む、前記情報伝送方法。
【請求項１０】
前記端末装置の少なくとも一つのアップリンク伝送チャネルに対応するビームの識別情報は前記端末装置の少なくとも一つのアップリンク伝送チャネルに対応するビームのビーム識別子又は番号を含み、
前記少なくとも一つのアップリンク伝送チャネルを伝送するためのリソース情報は、
前記端末装置の少なくとも一つのアップリンク伝送チャネルを伝送するための時間領域リソースの情報と周波数領域リソースの情報のうちの少なくとも一つを含むことを特徴とする
請求項９に記載の情報伝送方法。
【請求項１１】
前記測定信号は前記端末装置によって周期的に送信される信号であることを特徴とする
請求項９又は１０に記載の情報伝送方法。
【請求項１２】
前記端末装置が前記ソースセルから送信された前記測定信号の配置情報を受信することであって、前記測定信号の配置情報が前記ソースセルと前記ターゲットセルのネゴシエーションによって確定され、前記測定信号の配置情報が、前記端末装置が前記測定信号の配置情報に基づいて前記測定信号を送信することに用いられることをさらに含むことを特徴とする
請求項９−１１のいずれか一項に記載の情報伝送方法。
【請求項１３】
前記測定信号の配置情報は、
前記測定信号を送信するための時間領域リソースの情報、前記測定信号を送信するための周波数領域リソースの情報、前記測定信号を送信するためのチャネル又は信号リソースの情報と前記測定信号の送信方式のうちの少なくとも一つを含むことを特徴とする
請求項１２に記載の情報伝送方法。
【請求項１４】
前記端末装置が前記ターゲットセルによって確定された前記端末装置の少なくとも一つのアップリンク伝送チャネルに対応するビームの識別情報に対応するビームを用い、前記少なくとも一つのアップリンク伝送チャネルを伝送するためのリソース情報に示されるリソースでランダムアクセス信号を送信し、前記ターゲットセルにアクセスすることをさらに含むことを特徴とする
請求項９−１３のいずれか一項に記載の情報伝送方法。
【請求項１５】
前記測定信号はさらに前記ターゲットセルが前記ターゲットセルの少なくとも一つのアップリンク伝送チャネルに対応するビームを確定することに用いられることを特徴とする
請求項９−１４のいずれか一項に記載の情報伝送方法。
【請求項１６】
前記ソースセルと前記ターゲットセルは同一のネットワーク装置に属することを特徴とする
請求項９−１５のいずれか一項に記載の情報伝送方法。
【請求項１７】
前記ソースセルと前記ターゲットセルは異なるネットワーク装置に属することを特徴とする
請求項９−１５のいずれか一項に記載の情報伝送方法。
【請求項１８】
情報伝送方法であって、
ソースセルがターゲットセルから送信された第一の通知メッセージを受信することであって、前記第一の通知メッセージが前記ターゲットセルによって確定された端末装置の少なくとも一つのアップリンク伝送チャネルに対応するビームの識別情報、及び／又は前記少なくとも一つのアップリンク伝送チャネルを伝送するためのリソース情報を含むことと、
前記ソースセルが前記端末装置へ第二の通知メッセージを送信することであって、前記第二の通知メッセージが前記ターゲットセルによって確定された前記端末装置の少なくとも一つのアップリンク伝送チャネルに対応するビームの識別情報、及び／又は前記少なくとも一つのアップリンク伝送チャネルを伝送するためのリソース情報を含むこととを含む、前記情報伝送方法。
【請求項１９】
前記端末装置の少なくとも一つのアップリンク伝送チャネルに対応するビームの識別情報、及び／又は前記少なくとも一つのアップリンク伝送チャネルを伝送するためのリソース情報は、前記ターゲットセルによって測定信号の配置情報に示されるリソースで測定信号を測定して確定され、前記測定信号は前記端末装置によって前記測定信号の配置情報に示されるリソースで送信されることを特徴とする
請求項１８に記載の情報伝送方法。
【請求項２０】
前記測定信号の配置情報は前記ソースセルと前記ターゲットセルとのネゴシエーションによって確定されることを特徴とする
請求項１９に記載の情報伝送方法。
【請求項２１】
前記測定信号の配置情報が前記ソースセルによって前記端末装置の周期的に送信される信号の情報に基づいて確定され、前記情報伝送方法はさらに、
前記ソースセルが前記ターゲットセルへ前記測定信号の配置情報を送信することを含むことを特徴とする
請求項１９に記載の情報伝送方法。
【請求項２２】
前記測定信号の配置情報は、
前記測定信号を送信するための時間領域リソースの情報、前記測定信号を送信するための周波数領域リソースの情報、前記測定信号を送信するためのチャネル又は信号リソースの情報と前記測定信号の送信方式のうちの少なくとも一つを含むことを特徴とする
請求項１９−２１のいずれか一項に記載の情報伝送方法。
【請求項２３】
前記端末装置の少なくとも一つのアップリンク伝送チャネルに対応するビームの識別情報は前記端末装置の少なくとも一つのアップリンク伝送チャネルに対応するビームのビーム識別子又は番号を含み、
前記少なくとも一つのアップリンク伝送チャネルを伝送するためのリソース情報は、
前記少なくとも一つのアップリンク伝送チャネルを伝送するための時間領域リソースの情報と前記少なくとも一つのアップリンク伝送チャネルを伝送するための周波数領域リソースの情報のうちの少なくとも一つを含むことを特徴とする
請求項１８−２２のいずれか一項に記載の情報伝送方法。
【請求項２４】
前記ソースセルと前記ターゲットセルは同一のネットワーク装置に属することを特徴とする
請求項１８−２３のいずれか一項に記載の情報伝送方法。
【請求項２５】
前記ソースセルと前記ターゲットセルは異なるネットワーク装置に属することを特徴とする
請求項１８−２３のいずれか一項に記載の情報伝送方法。
【請求項２６】
ネットワーク装置であって、
測定信号の配置情報を取得するように構成される取得ユニットであって、前記測定信号の配置情報が、端末装置が前記測定信号の配置情報に基づいて前記測定信号を送信することに用いられる取得ユニットと、
前記端末装置から送信された前記測定信号に基づき、前記ネットワーク装置の少なくとも一つのアップリンク伝送チャネルに対応するビームを確定するように構成される確定ユニットと、
前記ネットワーク装置の少なくとも一つのアップリンク伝送チャネルに対応するビームを用いて前記少なくとも一つのアップリンク伝送チャネルを伝送するように構成される送受信ユニットであって、前記ネットワーク装置がターゲットセルの属するネットワーク装置である送受信ユニットとを備える、前記ネットワーク装置。
【請求項２７】
前記確定ユニットはさらに、
前記端末装置から送信された前記測定信号に基づき、前記端末装置の少なくとも一つのアップリンク伝送チャネルに対応するビームの識別情報、及び／又は前記少なくとも一つのアップリンク伝送チャネルを伝送するためのリソース情報を確定するように構成され、
前記送受信ユニットはさらに、
第一のネットワーク装置へ第一の通知メッセージを送信するように構成され、前記第一の通知メッセージが前記ネットワーク装置によって確定された前記端末装置の少なくとも一つのアップリンク伝送チャネルに対応するビームの識別情報、及び／又は前記少なくとも一つのアップリンク伝送チャネルを伝送するためのリソース情報を含み、前記第一のネットワーク装置がソースセルの属するネットワーク装置であることを特徴とする
請求項２６に記載のネットワーク装置。
【請求項２８】
前記測定信号の配置情報は、
前記測定信号を送信するための時間領域リソースの情報、前記測定信号を送信するための周波数領域リソースの情報、前記測定信号を送信するためのチャネル又は信号リソースの情報と前記測定信号の送信方式のうちの少なくとも一つを含むことを特徴とする
請求項２６又は２７に記載のネットワーク装置。
【請求項２９】
前記測定信号の配置情報は第一のネットワーク装置と前記ネットワーク装置のネゴシエーションによって確定されることを特徴とする
請求項２６−２８のいずれか一項に記載のネットワーク装置。
【請求項３０】
前記送受信ユニットはさらに、
前記第一のネットワーク装置から送信された前記測定信号の配置情報を受信するように構成され、前記測定信号の配置情報が前記第一のネットワーク装置によって前記端末装置の周期的に送信される信号の情報に基づいて確定されることを特徴とする
請求項２６−２８のいずれか一項に記載のネットワーク装置。
【請求項３１】
前記端末装置の少なくとも一つのアップリンク伝送チャネルに対応するビームの識別情報は前記端末装置の少なくとも一つのアップリンク伝送チャネルに対応するビームのビーム識別子又は番号を含み、
前記少なくとも一つのアップリンク伝送チャネルを伝送するためのリソース情報は、
前記端末装置の少なくとも一つのアップリンク伝送チャネルを伝送するための時間領域リソースの情報と周波数領域リソースの情報のうちの少なくとも一つを含むことを特徴とする
請求項２６−３０のいずれか一項に記載のネットワーク装置。
【請求項３２】
第一のネットワーク装置と前記ネットワーク装置は同一のネットワーク装置に属することを特徴とする
請求項２６−３１のいずれか一項に記載のネットワーク装置。
【請求項３３】
第一のネットワーク装置と前記ネットワーク装置は異なるネットワーク装置に属することを特徴とする
請求項２６−３１のいずれか一項に記載のネットワーク装置。
【請求項３４】
端末装置であって、
測定信号を送信するように構成される送信ユニットであって、前記測定信号が、第一のネットワーク装置が前記端末装置の少なくとも一つのアップリンク伝送チャネルに対応するビームの識別情報、及び／又は前記少なくとも一つのアップリンク伝送チャネルを伝送するためのリソース情報を含み、前記第一のネットワーク装置がターゲットセルの属するネットワーク装置である送信ユニットと、
第二のネットワーク装置からの通知メッセージを受信するように構成される受信ユニットであって、前記通知メッセージが前記第二のネットワーク装置によって確定された前記端末装置の少なくとも一つのアップリンク伝送チャネルに対応するビームの識別情報、及び／又は前記少なくとも一つのアップリンク伝送チャネルを伝送するためのリソース情報を含み、前記第二のネットワーク装置がソースセルの属するネットワーク装置である受信ユニットとを備える、前記端末装置。
【請求項３５】
前記端末装置の少なくとも一つのアップリンク伝送チャネルに対応するビームの識別情報は端末装置の少なくとも一つのアップリンク伝送チャネルに対応するビームのビーム識別子又は番号を含み、
前記少なくとも一つのアップリンク伝送チャネルを伝送するためのリソース情報は、
前記端末装置の少なくとも一つのアップリンク伝送チャネルを伝送するための時間領域リソースの情報と周波数領域リソースの情報のうちの少なくとも一つを含むことを特徴とする
請求項３４に記載の端末装置。
【請求項３６】
前記測定信号は前記端末装置の周期的に送信される信号であることを特徴とする
請求項３４又は３５に記載の端末装置。
【請求項３７】
前記受信ユニットはさらに、
前記第二のネットワーク装置から送信された前記測定信号の配置情報を受信するように構成され、前記測定信号の配置情報が前記第一のネットワーク装置と前記第二のネットワーク装置のネゴシエーションによって確定され、前記測定信号の配置情報が、前記端末装置が前記測定信号の配置情報に基づいて前記測定信号を送信することに用いられることを特徴とする
請求項３４又は３５に記載の端末装置。
【請求項３８】
前記測定信号の配置情報は、
前記測定信号を送信するための時間領域リソースの情報、前記測定信号を送信するための周波数領域リソースの情報、前記測定信号を送信するためのチャネル又は信号リソースの情報と前記測定信号の送信方式のうちの少なくとも一つを含むことを特徴とする
請求項３７に記載の端末装置。
【請求項３９】
前記端末装置がさらに前記第一のネットワーク装置によって確定された前記端末装置の少なくとも一つのアップリンク伝送チャネルに対応するビームの識別情報に対応するビームを用い、前記少なくとも一つのアップリンク伝送チャネルを伝送するためのリソース情報に示されるリソースでランダムアクセス信号を送信し、前記第二のネットワーク装置にアクセスすることを特徴とする
請求項３４−３８のいずれか一項に記載の端末装置。
【請求項４０】
前記測定信号はさらに前記第一のネットワーク装置が前記第一のネットワーク装置の少なくとも一つのアップリンク伝送チャネルに対応するビームを確定することに用いられることを特徴とする
請求項３４−３９のいずれか一項に記載の端末装置。
【請求項４１】
前記第一のネットワーク装置と前記第二のネットワーク装置は同一のネットワーク装置であることを特徴とする
請求項３４−４０のいずれか一項に記載の端末装置。
【請求項４２】
前記第一のネットワーク装置と前記第二のネットワーク装置は異なるネットワーク装置であることを特徴とする
請求項３４−４０のいずれか一項に記載の端末装置。
【請求項４３】
ネットワーク装置であって、
第一のネットワーク装置から送信された第一の通知メッセージを受信するように構成される受信ユニットであって、前記第一の通知メッセージが前記第一のネットワーク装置によって確定された端末装置の少なくとも一つのアップリンク伝送チャネルに対応するビームの識別情報、及び／又は前記少なくとも一つのアップリンク伝送チャネルを伝送するためのリソース情報を含み、前記ネットワーク装置がソースセルの属するネットワーク装置であり、前記第一のネットワーク装置がターゲットセルの属するネットワーク装置である受信ユニットと、
前記端末装置へ第二の通知メッセージを送信するように構成される送信ユニットであって、前記第二の通知メッセージが前記第一のネットワーク装置によって確定された前記端末装置の少なくとも一つのアップリンク伝送チャネルに対応するビームの識別情報、及び／又は前記少なくとも一つのアップリンク伝送チャネルを伝送するためのリソース情報を含む送信ユニットとを備える、前記ネットワーク装置。
【請求項４４】
前記端末装置の少なくとも一つのアップリンク伝送チャネルに対応するビームの識別情報、及び／又は前記少なくとも一つのアップリンク伝送チャネルを伝送するためのリソース情報は、前記第一のネットワーク装置によって測定信号の配置情報に示されるリソースで測定信号を測定して確定され、前記測定信号は前記端末装置によって前記測定信号の配置情報に示されるリソースで送信されることを特徴とする
請求項４３に記載のネットワーク装置。
【請求項４５】
前記測定信号の配置情報は前記ネットワーク装置と前記第一のネットワーク装置のネゴシエーションによって確定されることを特徴とする
請求項４４に記載のネットワーク装置。
【請求項４６】
前記測定信号の配置情報が前記ネットワーク装置によって前記端末装置の周期的に送信される信号の情報に基づいて確定され、前記送信ユニットはさらに、
前記第一のネットワーク装置へ前記測定信号の配置情報を送信するように構成されることを特徴とする
請求項４４に記載のネットワーク装置。
【請求項４７】
前記測定信号の配置情報は、
前記測定信号を送信するための時間領域リソースの情報、前記測定信号を送信するための周波数領域リソースの情報、前記測定信号を送信するためのチャネル又は信号リソースの情報と前記測定信号の送信方式のうちの少なくとも一つを含むことを特徴とする
請求項４４−４６のいずれか一項に記載のネットワーク装置。
【請求項４８】
前記端末装置の少なくとも一つのアップリンク伝送チャネルに対応するビームの識別情報は前記端末装置の少なくとも一つのアップリンク伝送チャネルに対応するビームのビーム識別子又は番号を含み、
前記少なくとも一つのアップリンク伝送チャネルを伝送するためのリソース情報は、
前記端末装置の少なくとも一つのアップリンク伝送チャネルを伝送するための時間領域リソースの情報と周波数領域リソースの情報のうちの少なくとも一つを含むことを特徴とする
請求項４３−４７のいずれか一項に記載のネットワーク装置。
【請求項４９】
前記ネットワーク装置と前記第一のネットワーク装置は同一のネットワーク装置であることを特徴とする
請求項４３−４８のいずれか一項に記載のネットワーク装置。
【請求項５０】
前記ネットワーク装置と前記第一のネットワーク装置は異なるネットワーク装置であることを特徴とする
請求項４３−４８のいずれか一項に記載のネットワーク装置。
【発明の詳細な説明】
【技術分野】
【０００１】
本出願は通信分野に関し、且つより具体的には、情報伝送方法、ネットワーク装置及び端末装置に関する。
【背景技術】
【０００２】
５Ｇシステム（又は新しい（ＮＲ：Ｎｅｗ  Ｒａｄｉｏ）システムと呼ばれもよい）では、マルチビーム（ｍｕｌｔｉ−ｂｅａｍ）を用いて異なる方向及びエリアをカバーすることができ、アップリンク伝送の場合、ネットワーク装置が複数のアップリンク受信ビームを有し、端末装置が複数のアップリンク送信ビームを有し、良い受信効果を得るために、アップリンク受信ビームとアップリンク送信ビームをマッチングする必要があり、マッチングが良くない場合、アップリンク受信性能が悪く、又は効果的な受信が不可能となるという問題を引き起こす。
【０００３】
端末装置がネットワーク装置にアクセスする時に、異なるアップリンク送信ビームを用いて信号を送信することを試みる必要がある場合が多く、同時に、ネットワーク装置が最も良くマッチングされるアップリンク送信ビームとアップリンク受信ビームを見つけるために異なるアップリンク受信ビームを試みる必要もある。ネットワーク装置に対応するアップリンク受信ビームの数が大きいことが多く、端末装置が各アップリンク送信ビームをネットワーク装置の各受信ビームとマッチングすることを順次試みる時の信号状況により、どのアップリンク送信ビームでランダムアクセスに関連する信号を送信してネットワーク装置にアクセスするかを決定する場合、大きなアクセス遅延を引き起こす。
【発明の概要】
【発明が解決しようとする課題】
【０００４】
本出願の実施例はアクセス遅延を減らすことができる情報伝送方法、ネットワーク装置及び端末装置を提供する。
【課題を解決するための手段】
【０００５】
第一の態様による情報伝送方法は、ターゲットセルが測定信号の配置情報を取得することであって、前記測定信号の配置情報が、端末装置が前記測定信号の配置情報に基づいて前記測定信号を送信することに用いられることと、前記ターゲットセルが前記端末装置から送信された前記測定信号に基づき、前記ターゲットセルの少なくとも一つのアップリンク伝送チャネルに対応するビームを確定することと、前記ターゲットセルが前記ターゲットセルの少なくとも一つのアップリンク伝送チャネルに対応するビームを用いて前記少なくとも一つのアップリンク伝送チャネルを伝送することとを含む。
【０００６】
選択可能に、前記方法は、さらに前記ターゲットセルが前記端末装置から送信された前記測定信号に基づき、前記端末装置の少なくとも一つのアップリンク伝送チャネルに対応するビームの識別情報、及び／又は前記少なくとも一つのアップリンク伝送チャネルを伝送するためのリソース情報を確定することを含む。
【０００７】
前記ターゲットセルがソースセルへ第一の通知メッセージを送信することであって、前記第一の通知メッセージが前記ターゲットセルによって確定された前記端末装置の少なくとも一つのアップリンク伝送チャネルに対応するビームの識別情報、及び／又は前記少なくとも一つのアップリンク伝送チャネルを伝送するためのリソース情報を含む。
【０００８】
選択可能に、前記測定情報の配置情報は、前記測定信号を送信するための時間領域リソースの情報、前記測定信号を送信するための周波数領域リソースの情報、前記測定信号を送信するためのチャネル又は信号リソースの情報と前記測定信号の送信方式のうちの少なくとも一つを含む。
【０００９】
選択可能に、前記測定信号の配置情報はソースセルと前記ターゲットセルとのネゴシエーションによって確定される。
【００１０】
選択可能に、前記ターゲットセルが測定信号の配置情報を取得することは、前記ターゲットセルが前記ソースセルから送信された前記測定信号の配置情報を受信することであって、前記測定信号の配置情報が前記ソースセルによって前記端末装置の周期的に送信される信号の情報に基づいて確定されることを含む。
【００１１】
選択可能に、前記端末装置の少なくとも一つのアップリンク伝送チャネルに対応するビームの識別情報は前記端末装置の少なくとも一つのアップリンク伝送チャネルに対応するビームのビーム識別子又は番号を含み、
前記少なくとも一つのアップリンク伝送チャネルを伝送するためのリソース情報は、
前記少なくとも一つのアップリンク伝送チャネルを伝送するための時間領域リソースの情報と前記少なくとも一つのアップリンク伝送チャネルを伝送するための周波数領域リソースの情報のうちの少なくとも一つを含む。
【００１２】
選択可能に、ソースセルと前記ターゲットセルは同一のネットワーク装置に属する。
【００１３】
選択可能に、ソースセルと前記ターゲットセルは異なるネットワーク装置に属する。
【００１４】
第二の態様による情報伝送方法は、前記端末装置が測定信号を送信することであって、前記測定信号が、ターゲットセルが前記端末装置の少なくとも一つのアップリンク伝送チャネルに対応するビームの識別情報、及び／又は前記少なくとも一つのアップリンク伝送チャネルを伝送するためのリソース情報を確定することに用いられることと、前記端末装置がソースセルからの通知メッセージを受信することであって、前記通知メッセージが前記ターゲットセルによって確定された前記端末装置の少なくとも一つのアップリンク伝送チャネルに対応するビームの識別情報、及び／又は前記少なくとも一つのアップリンク伝送チャネルを伝送するためのリソース情報を含むこととを含む。
【００１５】
選択可能に、前記端末装置の少なくとも一つのアップリンク伝送チャネルに対応するビームの識別情報は前記端末装置の少なくとも一つのアップリンク伝送チャネルに対応するビームのビーム識別子又は番号を含み、
前記少なくとも一つのアップリンク伝送チャネルを伝送するためのリソース情報は、
前記少なくとも一つのアップリンク伝送チャネルを伝送するための時間領域リソースの情報と前記少なくとも一つのアップリンク伝送チャネルを伝送するための周波数領域リソースの情報のうちの少なくとも一つを含む。
【００１６】
選択可能に、前記測定信号は前記端末装置の周期的に送信される信号である。
【００１７】
選択可能に、前記方法は、さらに前記端末装置が前記ソースセルから送信された前記測定信号の配置情報を受信することであって、前記測定信号の配置情報が前記ソースセルとターゲットセルのネゴシエーションによって確定され、前記測定信号の配置情報が、前記端末装置が前記測定信号の配置情報に基づいて前記測定信号を送信することに用いられることを含む。
【００１８】
選択可能に、前記測定信号の配置情報は、
前記測定信号を送信するための時間領域リソースの情報、前記測定信号を送信するための周波数領域リソースの情報、前記測定信号を送信するためのチャネル又は信号リソースの情報と前記測定信号の送信方式のうちの少なくとも一つを含む。
【００１９】
選択可能に、前記方法は、さらに前記端末装置が前記ターゲットセルによって確定された前記端末装置の少なくとも一つのアップリンク伝送チャネルに対応するビームの識別情報に対応するビームを用い、前記少なくとも一つのアップリンク伝送チャネルを伝送するためのリソース情報に示されるリソースでランダムアクセス信号を送信し、前記ターゲットセルにアクセスすることを含む。
【００２０】
選択可能に、前記測定信号はさらに前記ターゲットセルが前記ターゲットセルの少なくとも一つのアップリンク伝送チャネルに対応するビームを確定することに用いられる。
【００２１】
選択可能に、前記ソースセルとターゲットセルは同一のネットワーク装置に属する。
【００２２】
選択可能に、前記ソースセルとターゲットセルは異なるネットワーク装置に属する。
【００２３】
第三の態様による情報伝送方法は、ソースセルがターゲットセルから送信された第一の通知メッセージを受信することであって、前記第一の通知メッセージが前記ターゲットセルによって確定された端末装置の少なくとも一つのアップリンク伝送チャネルに対応するビームの識別情報、及び／又は前記少なくとも一つのアップリンク伝送チャネルを伝送するためのリソース情報を含むことと、前記ソースセルが前記端末装置へ第二の通知メッセージを送信することであって、前記第二の通知メッセージが前記ターゲットセルによって確定された前記端末装置の少なくとも一つのアップリンク伝送チャネルに対応するビームの識別情報、及び／又は前記少なくとも一つのアップリンク伝送チャネルを伝送するためのリソース情報を含むこととを含む。
【００２４】
選択可能に、前記端末装置の少なくとも一つのアップリンク伝送チャネルに対応するビームの識別情報、及び／又は前記少なくとも一つのアップリンク伝送チャネルを伝送するためのリソース情報は、前記ターゲットセルによって測定信号の配置情報に示されるリソースで測定信号を測定して確定され、前記測定信号は前記端末装置によって前記測定信号の配置情報に示されるリソースで送信される。
【００２５】
選択可能に、前記測定信号の配置情報は前記ソースセルとターゲットセルとのネゴシエーションによって確定される。
【００２６】
選択可能に、前記測定信号の配置情報が前記ソースセルによって前記端末装置の周期的に送信される信号の情報に基づいて確定され、前記方法はさらに、
前記ソースセルが前記ターゲットセルへ前記測定信号の配置情報を送信することを含む。
【００２７】
選択可能に、前記測定信号の配置情報は、
前記測定信号を送信するための時間領域リソースの情報、前記測定信号を送信するための周波数領域リソースの情報、前記測定信号を送信するためのチャネル又は信号リソースの情報と前記測定信号の送信方式のうちの少なくとも一つを含む。
【００２８】
選択可能に、前記端末装置の少なくとも一つのアップリンク伝送チャネルに対応するビームの識別情報は前記端末装置の少なくとも一つのアップリンク伝送チャネルに対応するビームのビーム識別子又は番号を含み、
前記少なくとも一つのアップリンク伝送チャネルを伝送するためのリソース情報は、
前記少なくとも一つのアップリンク伝送チャネルを伝送するための時間領域リソースの情報と前記少なくとも一つのアップリンク伝送チャネルを伝送するための周波数領域リソースの情報のうちの少なくとも一つを含む。
【００２９】
選択可能に、前記ソースセルと前記ターゲットセルは同一のネットワーク装置に属する。
【００３０】
選択可能に、前記ソースセルと前記ターゲットセルは異なるネットワーク装置に属する。
【００３１】
第四の態様によるネットワーク装置は、第一の態様又はいずれかの選択可能な実施形態における方法を実行するためのユニットを備えることができる。
【００３２】
第五の態様による端末装置は、第二の態様又はいずれかの選択可能な実施形態における方法を実行するためのユニットを備えることができる。
【００３３】
第六の態様によるネットワーク装置は、第三の態様又はいずれかの選択可能な実施形態における方法を実行するためのユニットを備えることができる。
【００３４】
第七の態様によるネットワーク装置は、メモリ、プロセッサ及び送受信機を備え、前記メモリがプログラムを記憶するように構成され、前記プロセッサがプログラムを実行するように構成され、前記プログラムが実行される場合、前記プロセッサが前記送受信機に基づいて第一の態様及びいずれかの選択可能な実施形態における方法を実行する。
【００３５】
第八の態様による端末装置は、メモリ、プロセッサ及び送受信機を備え、前記メモリがプログラムを記憶するように構成され、前記プロセッサがプログラムを実行するように構成され、前記プログラムが実行される場合、前記プロセッサが前記送受信機に基づいて第二の態様及びいずれかの選択可能な実施形態における方法を実行する。
【００３６】
第九の態様によるネットワーク装置は、メモリ、プロセッサ及び送受信機を備え、前記メモリがプログラムを記憶するように構成され、前記プロセッサがプログラムを実行するように構成され、前記プログラムが実行される場合、前記プロセッサが前記送受信機に基づいて第三の態様及びいずれかの選択可能な実施形態における方法を実行する。
【００３７】
第十の態様によるコンピュータ可読媒体は、端末装置で実行されるためのプログラムコードを記憶するように構成され、前記プログラムコードが第一の態様又はその様々な実施形態における方法を実行するための命令を含む。
【００３８】
第十一の態様によるコンピュータ可読媒体は、ネットワーク装置で実行されるためのプログラムコードを記憶し、前記プログラムコードが第二の態様又はその様々な実施形態における方法を実行するための命令を含む。
【００３９】
第十二の態様によるコンピュータ可読媒体は、ネットワーク装置で実行されるためのプログラムコードを記憶し、前記プログラムコードが第三の態様又はその様々な実施形態における方法を実行するための命令を含む。
【発明の効果】
【００４０】
上記技術的解決策に基づき、本出願の実施例の情報伝送方法では、ターゲットセルは測定信号の配置情報に基づき、端末装置から送信された測定信号を測定し、それによって該ターゲットセルのための少なくとも一つのアップリンク伝送チャネルに対応するビームを確定することができ、該ターゲットセルは該少なくとも一つのアップリンク伝送チャネルに対応するビームを用いて該少なくとも一つのアップリンク伝送チャネルを伝送することができ、ターゲットセルによって確定された、該ターゲットセルのための少なくとも一つのアップリンク伝送チャネルに対応するビームが端末装置から送信された測定信号に基づいて確定されるため、該ターゲットセルの少なくとも一つのアップリンク伝送チャネルに対応するビームと端末装置によって用いられた送信ビームとのマッチングが良く、それによってターゲットセルは該ターゲットセルの少なくとも一つのアップリンク伝送チャネルに対応するビームで、端末装置から送信されたランダムアクセスに関する信号を受信し、それによってランダムアクセス遅延を減らすことができる。
【図面の簡単な説明】
【００４１】
【図１】本出願の実施例による通信システムの概略図である。
【図２】従来技術における局内ハンドオーバ方法の概略フローチャートである。
【図３】従来技術におけるＸ２インタフェースに基づく局間ハンドオーバ方法の概略フローチャートである。
【図４】従来技術におけるＳ１インタフェースに基づく局間ハンドオーバ方法の概略フローチャートである。
【図５】本出願の実施例による情報伝送方法の概略フローチャートである。
【図６】本出願の実施例による情報伝送方法の概略フローチャートである。
【図７】本出願の実施例による情報伝送方法の概略フローチャートである。
【図８】本出願の実施例によるネットワーク装置の概略ブロック図である。
【図９】本出願の実施例による端末装置の概略ブロック図である。
【図１０】本出願の実施例によるネットワーク装置の概略ブロック図である。
【図１１】本出願の実施例によるネットワーク装置の概略ブロック図である。
【図１２】本出願の実施例による端末装置の概略ブロック図である。
【図１３】本出願の実施例によるネットワーク装置の概略ブロック図である。
【発明を実施するための形態】
【００４２】
以下に本出願の実施例の図面と組み合わせて本出願の実施例における技術的解決策を説明する。
【００４３】
本出願の実施例の技術的解決策は様々な通信システム、例えばグローバルモバイル通信（Ｇｌｏｂａｌ  Ｓｙｓｔｅｍ  ｆｏｒ  Ｍｏｂｉｌｅ  Ｃｏｍｍｕｎｉｃａｔｉｏｎ：「ＧＳＭ」と略称）システム、符号分割多元アクセス（Ｃｏｄｅ  Ｄｉｖｉｓｉｏｎ  Ｍｕｌｔｉｐｌｅ  Ａｃｃｅｓｓ：「ＣＤＭＡ」）システム、帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：「ＷＣＤＭＡ」と略称）システム、汎用パケット無線サービス（Ｇｅｎｅｒａｌ  Ｐａｃｋｅｔ  Ｒａｄｉｏ  Ｓｅｒｖｉｃｅ：「ＧＰＲＳ」と略称）、長期進化型（Ｌｏｎｇ  Ｔｅｒｍ  Ｅｖｏｌｕｔｉｏｎ：「ＬＴＥ」と略称）システム、ＬＴＥ周波数分割複信（Ｆｒｅｑｕｅｎｃｙ  Ｄｉｖｉｓｉｏｎ  Ｄｕｐｌｅｘ：「ＦＤＤ」と略称）システム、ＬＴＥ時分割複信（Ｔｉｍｅ  Ｄｉｖｉｓｉｏｎ  Ｄｕｐｌｅｘ：「ＴＤＤ」と略称）、汎用移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：「ＵＭＴＳ」と略称）、グローバル相互接続マイクロ波アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ：「ＷｉＭＡＸ」と略称）通信システム又は将来の５Ｇシステムなどに応用されてもよい。
【００４４】
図１に本発明の実施例に応用される無線通信システム１００が示される。該無線通信システム１００はネットワーク装置１１０とネットワーク装置１２０を備えることができる。ネットワーク装置１１０とネットワーク装置１２０は、端末装置と通信する装置であってもよい。ネットワーク装置１１０とネットワーク装置１２０は特定の地理的エリアに対して通信カバレッジを提供することができ、そして該カバレッジエリアに位置する端末装置（例えばＵＥ）と通信を行うことができる。選択可能に、該ネットワーク装置１１０とネットワーク装置１２０は、ＧＳＭシステム又はＣＤＭＡシステムにおける基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮＢ：ＮｏｄｅＢ）であってもよく、ＬＴＥシステムにおける進化型基地局（ｅＮＢ又はｅＮｏｄｅＢ：Ｅｖｏｌｕｔｉｏｎａｌ  ＮｏｄｅＢ）であってもよく、又はクラウド無線アクセスネットワーク（ＣＲＡＮ：Ｃｌｏｕｄ  Ｒａｄｉｏ  Ａｃｃｅｓｓ  Ｎｅｔｗｏｒｋ）における無線コントローラであってもよく、又は該ネットワーク装置は中継局、アクセスポイント、ＴＲＰ、車載デバイス、ウェアラブルデバイス、将来の５Ｇネットワークにおけるネットワーク側装置又は将来の進化した公衆陸上モバイルネットワーク（ＰＬＭＮ：Ｐｕｂｌｉｃ  Ｌａｎｄ  Ｍｏｂｉｌｅ  Ｎｅｔｗｏｒｋ）におけるネットワーク装置などであってもよい。
【００４５】
該無線通信システム１００はさらにネットワーク装置１１０又はネットワーク装置１２０のカバレッジに位置する少なくとも一つの端末装置１３０を備える。端末装置１３０は移動式又は固定式でもよい。選択可能に、端末装置１３０はアクセス端末、ユーザ装置（ＵＥ：Ｕｓｅｒ  Ｅｑｕｉｐｍｅｎｔ）、加入者ユニット、加入者局、移動局、移動ステーション、遠隔局、遠隔端末、移動装置、ユーザ端末、端末、無線通信装置、ユーザエージェント又はユーザ装置を指すことができる。アクセス端末はセルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）ステーション、パーソナルデジタル処理（ＰＤＡ：Ｐｅｒｓｏｎａｌ  Ｄｉｇｉｔａｌ  Ａｓｓｉｓｔａｎｔ）、無線通信機能を備えたハンドヘルドデバイス、コンピューティングデバイス又は無線モデムに接続された他の処理装置、車載デバイス、ウェアラブルデバイス、将来の５Ｇネットワークにおける端末装置又は将来の進化したＰＬＭＮネットワークにおける端末装置などであってもよい。
【００４６】
選択可能に、５Ｇシステム又はネットワーク装置は新しい無線（ＮＲ：Ｎｅｗ  Ｒａｄｉｏ）システム又はネットワークとも呼ばれてもよい。
【００４７】
図１に２つのネットワーク装置と１つの端末装置が例示的に示され、選択可能に、該無線通信システム１００はより多くのネットワーク装置を備えることができ且つ各ネットワーク装置のカバレッジで他の数の端末装置を備えることができるが、本出願の実施例はこれに限定されない。
【００４８】
選択可能に、該無線通信システム１００はさらにネットワークコントローラ、移動管理エンティティなどのネットワークエンティティを備えることができ、本出願の実施例はこれに限定されない。
【００４９】
理解すべきものとして、本明細書で用語「システム」と「ネットワーク」は常に本明細書で互換的に使用される。本明細書では用語「及び／又は」は、関連するオブジェクトの関連関係を記述するためのものだけであり、３種類の関係が存在してもよいことを示し、Ａ及び／又はＢは、Ａが単独で存在すること、ＡとＢが同時に存在すること、Ｂが単独で存在することの３つの状況を示すことができる。また、本明細書では文字「／」は、一般的に前後にある関連オブジェクトが「又は」の関係であることを示す。
【００５０】
ネットワークサービスを用いている端末装置が一つのセル（ソースセルと呼ばれる）から別のセル（ターゲットセルと呼ばれる）に移動する場合、又は無線伝送サービス負荷量調整、アクティブ操作及びメンテナンス、機器故障などの原因で、通信の連続性とサービスの品質を保証するために、該端末装置とソースセルとの通信リンクをターゲットセルに遷移する必要があり、このプロセスはセルハンドオーバプロセスである。
【００５１】
ＬＴＥシステムでは、端末装置のセルハンドオーバは、局内ハンドオーバ（即ちソースセルとターゲットセルが同一のネットワーク装置に属する）、局間ハンドオーバ（即ちソースとターゲットセルが異なるネットワーク装置に属する）に分けられてもよく、局間ハンドオーバーがさらにＸ２インタフェースに基づくハンドオーバー、Ｓ１インタフェースに基づくハンドオーバを含むことができ、Ｘ２インタフェースデータ配置が完璧であり且つ動作が良い場合でＸ２インタフェースに基づくハンドオーバを行うことができる。一般的にはＸ２インタフェースに基づくハンドオーバの優先度がＳ１インタフェースに基づくハンドオーバよりも高い。
【００５２】
図２は従来技術における局内ハンドオーバ方法の概略フローチャートである。図２に示すように、該局内ハンドオーバプロセスは以下を含むことができる。
【００５３】
Ｓ２０１において、ネットワーク装置は端末装置の測定タイプを設定し、該ネットワーク装置は端末装置へ無線リソース制御（全称：Ｒａｄｉｏ  Ｒｅｓｏｕｒｃｅ  Ｃｏｎｔｒｏｌ、略称：ＲＲＣ）接続再設定（Ｃｏｎｎｅｃｔｉｏｎ  Ｒｅｃｏｎｆｉｇｕｒａｔｉｏｎ）メッセージを送信することで端末装置の測定タイプを設定する。
【００５４】
Ｓ２０２において、端末装置はネットワーク装置から送信された測定タイプに従って該端末装置のＲＲＣプロトコル側で測定配置を行い、そして測定配置が完了されたことを示すためのＲＲＣ接続再設定（Ｃｏｎｎｅｃｔｉｏｎ  Ｒｅｃｏｎｆｉｇｕｒａｔｉｏｎ）完了（Ｃｏｍｐｌｅｔｅ）メッセージをネットワーク装置に送信する。
【００５５】
Ｓ２０３において、端末装置は上記測定配置情報に従ってネットワーク装置へ測定レポートを報告する。
【００５６】
Ｓ２０４において、ネットワーク装置は測定レポートに基づいてハンドオーバ判定を行い、該ネットワーク装置はソースセルとターゲットセルが属するネットワーク装置である。
【００５７】
Ｓ２０５において、該端末装置がネットワーク装置内ハンドオーバ、即ち局内ハンドオーバを実行すると判定された場合、ターゲットセル内でリソースの承認を行い、リソースの承認が成功した後に該ネットワーク装置は該端末装置のための新しいエアインタフェースリソースを申請する。
【００５８】
Ｓ２０６において、リソース申請が成功した後にネットワーク装置は端末装置へＲＲＣ接続再設定（Ｃｏｎｎｅｃｔｉｏｎ  Ｒｅｃｏｎｆｉｇｕｒａｔｉｏｎ）メッセージを送信し、ハンドオーバ動作を開始するように端末装置に指示する。
【００５９】
Ｓ２０７において、端末装置はターゲットセルにアクセスし、その後端末装置が既にターゲットセルにアクセスしたことを示すためのＲＲＣ接続再設定完了（Ｃｏｎｎｅｃｔｉｏｎ  Ｒｅｃｏｎｆｉｇｕｒａｔｉｏｎ  Ｃｏｍｐｌｅｔｅ）メッセージをネットワーク装置に送信する。
【００６０】
Ｓ２０８において、ネットワーク装置はＲＲＣ接続再設定完了メッセージを受信した後、ソースセルでの該端末装置に占有されたリソースを解放する。
【００６１】
ここで、該Ｓ２０１〜Ｓ２０５がハンドオーバ準備プロセスであり、該Ｓ２０６とＳ２０５がハンドオーバ実行段階であり、該Ｓ２０８がハンドオーバ完了段階である。
【００６２】
図３は従来技術におけるＸ２インタフェースに基づく局間ハンドオーバ方法の概略フローチャートである。図３に示すように、該局内ハンドオーバプロセスは以下を含むことができる。
【００６３】
Ｓ３０１において、ソースネットワーク装置は端末装置の測定タイプを設定し、該ソースネットワーク装置は端末装置へＲＲＣ接続再設定（Ｃｏｎｎｅｃｔｉｏｎ  Ｒｅｃｏｎｆｉｇｕｒａｔｉｏｎ）メッセージを送信することで端末装置の測定タイプを設定し、該ソースネットワーク装置はソースセルが属するネットワーク装置である。
【００６４】
Ｓ３０２において、端末装置はソースネットワーク装置から送信された測定タイプに従って該端末装置のＲＲＣプロトコル側で測定配置を行い、そして測定配置が完了されたことを示すためのＲＲＣ接続再設定完了（Ｃｏｎｎｅｃｔｉｏｎ  Ｒｅｃｏｎｆｉｇｕｒａｔｉｏｎ  Ｃｏｍｐｌｅｔｅ）メッセージをソースネットワーク装置に送信する。
【００６５】
Ｓ３０３において、端末装置は上記測定配置情報に従ってソースネットワーク装置へ測定レポートを報告する。
【００６６】
Ｓ３０４において、ソースネットワーク装置は測定レポートに基づいてハンドオーバ判定を行う。
【００６７】
Ｓ３０５において、ソースネットワーク装置はターゲットネットワーク装置へハンドオーバリクエスト（ＨａｎｄＯｖｅｒ  Ｒｅｑｕｅｓｔ）を送信し、ハンドオーバ準備を行うようにターゲットネットワーク装置に指示し、該ターゲットネットワーク装置がターゲットセルの属するネットワーク装置である。
【００６８】
Ｓ３０６において、ターゲットネットワーク装置はリソースの承認を行い、端末装置のアクセスのためのエアインタフェースリソースとサービスのシステム構造進化（全称：Ｓｙｓｔｅｍ  Ａｒｃｈｉｔｅｃｔｕｒｅ  Ｅｖｏｌｕｔｉｏｎ、略称：ＳＡＥ）ベアラリソースを割り当てる。
【００６９】
Ｓ３０７において、ターゲットネットワーク装置はリソースの承認が成功した後、ソースネットワーク装置へハンドオーバリクエスト確定メッセージを送信し、ハンドオーバ準備動作が完了されたことを示す。
【００７０】
Ｓ３０８において、ソースネットワーク装置は割り当てられた専用アクセスシグネチャを端末装置に配置し、端末装置へＲＲＣ接続再設定（Ｃｏｎｎｅｃｔｉｏｎ  Ｒｅｃｏｎｆｉｇｕｒａｔｉｏｎ）メッセージを送信し、ハンドオーバ動作を実行するように端末装置に指示する。
【００７１】
Ｓ３０９において、端末装置は端末装置が既にターゲットセルにアクセスしたことを示すためのＲＲＣ接続再設定完了（Ｃｏｎｎｅｃｔｉｏｎ  Ｒｅｃｏｎｆｉｇｕｒａｔｉｏｎ  Ｃｏｍｐｌｅｔｅ）メッセージをターゲットネットワーク装置に送信する。
【００７２】
Ｓ３１０において、ターゲットネットワーク装置はモビリティ管理ネットワーク要素（全称：Ｍｏｂｉｌｉｔｙ  Ｍａｎａｇｅｍｅｎｔ  Ｅｎｔｉｔｙ、略称：ＭＭＥ）へパススイッチリクエスト（ＰＡＴＨ  ＳＷＩＴＣＨ  ＲＥＱ）を送信し、サービスデータチャネルのノードアドレスを更新するようにＭＭＥにリクエストし、サービスデータの接続パスをスイッチするようにＭＭＥに通知する。
【００７３】
Ｓ３１１において、ＭＭＥはデータチャネルのノードアドレスの更新が成功し、新しいＳＡＥベアラ（ｂｅａｒｅｒｓ）でサービス通信を行うことができることを示すためのパススイッチリクエスト確認メッセージをターゲットネットワーク装置に送信する。
【００７４】
Ｓ３１２において、端末装置は既にターゲットセルに入り、そしてターゲットセルでサービス通信を行うことができ、ソースセルに占有されたリソースを解放する必要があり、ターゲットネットワーク装置はソースネットワーク装置へ端末装置のコンテキスト解放（Ｃｏｎｔｅｘｔ  Ｒｅｌｅａｓｅ）メッセージを送信する。
【００７５】
Ｓ３１３において、ソースネットワーク装置はエアインタフェースリソースとＳＡＥベアラ（ｂｅａｒｅｒｓ）リソースを含む該端末装置のコンテキストを解放する。
【００７６】
図４は従来技術におけるＳ１インタフェースに基づく局間ハンドオーバ方法の概略フローチャートである。図４に示すように、該局内ハンドオーバプロセスは以下を含むことができる。
【００７７】
Ｓ４０１において、ソースネットワーク装置は端末装置の測定タイプを設定し、該ネットワーク装置は端末装置へＲＲＣ接続再設定（Ｃｏｎｎｅｃｔｉｏｎ  Ｒｅｃｏｎｆｉｇｕｒａｔｉｏｎ）メッセージを送信することで端末装置の測定タイプを設定する。
【００７８】
Ｓ４０２において、端末装置はソースネットワーク装置から送信された測定タイプに従って該端末装置のＲＲＣプロトコル側で測定配置を行い、そして測定配置が完了されたことを示すためのＲＲＣ接続再設定完了（Ｃｏｎｎｅｃｔｉｏｎ  Ｒｅｃｏｎｆｉｇｕｒａｔｉｏｎ  Ｃｏｍｐｌｅｔｅ）メッセージをソースネットワーク装置に送信する。
【００７９】
Ｓ４０３において、端末装置は上記測定配置情報に従ってソースネットワーク装置へ測定レポートを報告する。
【００８０】
Ｓ４０４において、ソースネットワーク装置は測定レポートに基づいてハンドオーバ判定を行う。
【００８１】
Ｓ４０５において、ソースネットワーク装置はＭＭＥへハンドオーバリクエストメッセージを送信する。
【００８２】
Ｓ４０６において、ＭＭＥはターゲットネットワーク装置へハンドオーバリクエストメッセージを送信する。
【００８３】
Ｓ４０７において、ターゲットネットワーク装置はリソースの承認を行い、端末装置のアクセスのためにターゲットネットワーク側のリソースを割り当てる。
【００８４】
Ｓ４０８において、ターゲットネットワーク装置はリソースの承認が成功した後、ハンドオーバ準備動作が完了されたことを示すためのハンドオーバリクエスト確認メッセージをＭＭＥに送信する。
【００８５】
Ｓ４０９において、ＭＭＥはソースネットワーク装置へハンドオーバ命令（Ｈａｎｄｏｖｅｒ  Ｃｏｍｍａｎｄ）を送信し、該ハンドオーバ命令がターゲットネットワーク装置側のベアラ情報及びハンドオーバ期間でサービスデータによって転送されたターゲットネットワーク装置のアドレスを含む。
【００８６】
Ｓ４１０において、ソースネットワーク装置は端末装置へＲＲＣ接続再設定（Ｃｏｎｎｅｃｔｉｏｎ  Ｒｅｃｏｎｆｉｇｕｒａｔｉｏｎ）メッセージを送信し、ターゲットセルにアクセスするようにターゲット端末装置に指示する。
【００８７】
Ｓ４１１において、ターゲットネットワーク装置は端末装置から送信されたＲＲＣ接続再設定完了（Ｃｏｎｎｅｃｔｉｏｎ  Ｒｅｃｏｎｆｉｇｕｒａｔｉｏｎ  Ｃｏｍｐｌｅｔｅ）メッセージを受信し、ハンドオーバが成功したことを示す。
【００８８】
Ｓ４１２において、ターゲットネットワーク装置はＭＭＥへパススイッチリクエストを送信し、サービスデータチャネルのノードアドレスを更新するようにＭＭＥにリクエストし、サービスデータの接続パスをスイッチするようにＭＭＥに通知する。
【００８９】
Ｓ４１３において、ＭＭＥはデータチャネルのノードアドレスの更新が成功し、新しいＳＡＥベアラ（ｂｅａｒｅｒｓ）でサービス通信を行うことができることを示すためのパススイッチリクエスト確認メッセージをターゲットネットワーク装置に送信する。
【００９０】
Ｓ４１４において、ターゲットネットワーク装置はＭＭＥへハンドオーバ通知（Ｈａｎｄｏｖｅｒ  Ｎｏｔｉｆｙ）メッセージを送信し、該ターゲットネットワーク装置へのアクセスが既に成功したことをＭＭＥ端末装置に通知する。
【００９１】
Ｓ４１５において、ターゲットネットワーク装置はソースネットワーク装置へコンテキスト解放（Ｃｏｎｔｅｘｔ  Ｒｅｌｅａｓｅ）メッセージを送信する。
【００９２】
Ｓ４１６において、ソースネットワーク装置はエアインタフェースリソースとＳＡＥベアラ（ｂｅａｒｅｒｓ）リソースを含む該端末装置のコンテキストを解放する。
【００９３】
以下に図５と組み合わせてターゲットセルの観点から本出願の実施例の情報伝送方法５００を説明し、具体的には該方法５００はターゲットセルの属するネットワーク装置によって実行されてもよい。図５に示すように、該方法５００は以下を含む。
【００９４】
Ｓ５０１において、ターゲットセルは測定信号の配置情報を取得し、前記測定信号の配置情報が、端末装置が前記測定信号の配置情報に基づいて前記測定信号を送信することに用いられる。
【００９５】
Ｓ５０２において、前記ターゲットセルは前記端末装置から送信された前記測定信号に基づき、前記ターゲットセルの少なくとも一つのアップリンク伝送チャネルに対応するビームを確定する。
【００９６】
Ｓ５０３において、前記ターゲットセルは前記ターゲットセルの少なくとも一つのアップリンク伝送チャネルに対応するビームを用いて該少なくとも一つのアップリンク伝送チャネルを伝送する。
【００９７】
具体的には、該ターゲットセルは測定信号の配置情報を取得することができ、選択可能に、該測定信号の配置情報がソースセルとターゲットセルのネゴシエーションによって確定されてもよく、この時、該ターゲットセルは該測定信号の配置情報を直接取得することができ、又は該測定信号の配置情報がソースセルからターゲットセルに送信されてもよく、例えば、該ソースセルは該端末装置が現在周期的に送信している信号の情報が該測定信号の配置情報であることを確定することができ、その後確定された該測定信号の配置情報をターゲットセルに送信することができる。
【００９８】
選択可能に、いくつかの実施例では、前記測定信号の配置情報は、
前記測定信号を送信するための時間領域リソースの情報、前記測定信号を送信するための周波数領域リソースの情報、前記測定信号を送信するためのチャネル又は信号リソースの情報と前記測定信号の送信方式のうちの少なくとも一つを含む。
【００９９】
該ターゲットセルは該測定信号の配置情報を受信した後、該測定信号の配置情報に示されるリソースで該測定情報を測定し、それによって該ターゲットセルの少なくとも一つのアップリンク伝送チャネルに対応するビームを確定することができ、その後該ターゲットセルは確定された該少なくとも一つのアップリンク伝送チャネルに対応するビームを用いて該少なくとも一つのアップリンク伝送チャネルを伝送することができる。該少なくとも一つのアップリンク伝送チャネルに対応するビームが、ターゲットセルによって端末装置から送信された測定号を測定して確定されるため、該少なくとも一つのアップリンク伝送チャネルに対応するビームは良い受信性能を有し、それによってアップリンク伝送性能が向上する。
【０１００】
選択可能に、いくつかの実施例では、前記方法はさらに、
前記ターゲットセルが前記端末装置から送信された前記測定信号に基づき、前記端末装置の少なくとも一つのアップリンク伝送チャネルに対応するビームの識別情報、及び／又は前記少なくとも一つのアップリンク伝送チャネルを伝送するためのリソース情報を確定することと、
前記ターゲットセルがソースセルへ第一の通知メッセージを送信することであって、前記第一の通知メッセージが前記ターゲットセルによって確定された前記端末装置の少なくとも一つのアップリンク伝送チャネルに対応するビームの識別情報、及び／又は前記少なくとも一つのアップリンク伝送チャネルを伝送するためのリソース情報を含むこととを含む。
【０１０１】
具体的には、該ターゲットセルがさらに該端末装置から送信された測定信号に基づき、該端末装置の少なくとも一つのアップリンク伝送チャネルに対応するビームの識別情報、及び／又は前記少なくとも一つのアップリンク伝送チャネルを伝送するためのリソース情報を確定することができる。該ターゲットセルがさらにソースセルへ第一の通知メッセージを送信し、該ターゲットセルによって確定された該端末装置の少なくとも一つのアップリンク伝送チャネルに対応するビームの識別情報、及び／又は前記少なくとも一つのアップリンク伝送チャネルを伝送するためのリソース情報を該ソースセルに通知することができ、端末装置が該ターゲットセルにアクセスしなく、該ターゲットセルと通信を行うことができないため、該ソースセルは該ターゲットセルによって確定された上記メッセージを端末装置に転送することができ、それによって端末装置は上記メッセージに示されるリソースを用いて該ターゲットセルにアクセスすることができる。したがって、端末装置がターゲットセルにアクセスする時に異なる送信ビームを用いてランダムアクセスに関連する信号を送信することを試みるため、アクセス遅延が大きすぎるという問題を回避する。
【０１０２】
選択可能に、いくつかの実施例では、前記測定信号の配置情報はソースセルと前記ターゲットセルとのネゴシエーションによって確定される。
【０１０３】
つまり、該ソースセルとターゲットセルが異なるネットワーク装置に属する場合、該測定信号の配置情報はこの２つのネットワーク装置によってシグナリングインタラクションを通じて確定されてもよく、又は該ソースセルとターゲットセルが同一のネットワーク装置に属する場合、該測定信号の配置情報はこの一つのネットワーク装置によって確定されてもよい。
【０１０４】
選択可能に、いくつかの実施例では、前記ターゲットセルが測定信号の配置情報を取得することは、
前記ターゲットセルが前記ソースセルから送信された前記測定信号の配置情報を受信し、前記測定信号の配置情報が前記ソースセルによって前記端末装置の周期的に送信される信号の情報に基づいて確定されることを含む。
【０１０５】
具体的には、該測定信号の配置情報がソースセルによって確定されてもよく、端末装置が第一の信号を周期的に送信している場合、該ソースセルは該第一の信号の情報に基づき、該測定信号の配置情報を測定することもでき、即ち該端末装置が送信している信号をターゲットセルが測定する測定信号として用いることができる。
【０１０６】
選択可能に、いくつかの実施例では、前記端末装置の少なくとも一つのアップリンク伝送チャネルに対応するビームの識別情報は前記端末装置の少なくとも一つのアップリンク伝送チャネルに対応するビームのビーム識別子又は番号を含み、
前記少なくとも一つのアップリンク伝送チャネルを伝送するためのリソース情報は、
前記少なくとも一つのアップリンク伝送チャネルを伝送するための時間領域リソースの情報と前記少なくとも一つのアップリンク伝送チャネルを伝送するための周波数領域リソースの情報のうちの少なくとも一つを含む。
【０１０７】
選択可能に、いくつかの実施例では、ソースセルと前記ターゲットセルは、同一のネットワーク装置に属する。
【０１０８】
この場合、ソースセルとターゲットセルの間の該端末装置のハンドオーバが局内ハンドオーバに属し、該ソースセルとターゲットセルによる該測定信号の配置情報のネゴシエーション、及び該ターゲットセルから該ソースセルへの第一の通知メッセージの送信が全て図２に示すＳ２０５で実行されてもよい。
【０１０９】
選択可能に、いくつかの実施例では、ソースセルと前記ターゲットセルは異なるネットワーク装置に属する。
【０１１０】
この場合、ソースセルとターゲットセルの間の該端末装置のハンドオーバが局間ハンドオーバに属し、Ｘ２インタフェースに基づく局間ハンドオーバに対して、該ソースセルとターゲットセルによる該測定信号の配置情報のネゴシエーション、又はターゲットセットからソースセルへの第一の通知メッセージの送信が図３に示すＳ３０５とＳ３０７で実行されてもよく、つまり、該ソースセルとターゲットセルはハンドオーバリクエストメッセージとハンドオーバリクエスト確認メッセージによって該測定信号の配置情報をネゴシエートすることができ、又は該第一の通知メッセージはハンドオーバリクエスト確認メッセージであってもよい。又は、Ｓ１インタフェースに基づく局間ハンドオーバの場合、該ソースセルとターゲットセルによる該測定信号の配置情報のネゴシエーション、及びターゲットセルによるソースセルへの第一の通知メッセージの送信は図４に示すＳ４０５、Ｓ４０６、Ｓ４０８とＳ４０９のうちの一部のステップで実行されてもよい。
【０１１１】
以上に図５と組み合わせ、ターゲットセルの観点から本発明の実施例による情報伝送方法を詳細に説明し、以下に図６と組み合わせ、端末装置の観点から本発明の実施例による情報伝送方法を詳細に説明する。理解すべきものとして、ターゲットセル側の説明が端末装置側の説明に相互に対応し、同様の内容について上記を参照でき、繰り返しを回避するために、ここで説明を省略しない。
【０１１２】
図６は端末装置の観点から説明される本出願の実施例による情報伝送方法６００の概略フローチャートである。図６に示すように、該方法６００は以下を含む。
【０１１３】
Ｓ６０１において、前記端末装置は測定信号を送信し、前記測定信号が、前記ターゲットセルが前記端末装置の少なくとも一つのアップリンク伝送チャネルに対応するビームの識別情報、及び／又は前記少なくとも一つのアップリンク伝送チャネルを伝送するためのリソース情報を確定することに用いられる。
【０１１４】
Ｓ６０２において、前記端末装置はソースセルの通知メッセージを受信し、前記通知メッセージが前記ターゲットセルによって確定された前記端末装置の少なくとも一つのアップリンク伝送チャネルに対応するビームの識別情報、及び／又は前記少なくとも一つのアップリンク伝送チャネルを伝送するためのリソース情報を含む。
【０１１５】
具体的には、該端末装置は、測定信号を送信することができ、該測定信号が、ターゲットセルが該測定信号を測定して前記端末装置の少なくとも一つのアップリンク伝送チャネルに対応するビームの識別情報、及び／又は前記少なくとも一つのアップリンク伝送チャネルを伝送するためのリソース情報を確定することに用いられてもよい。該端末装置はさらにソースセルの通知メッセージを受信することができ、該通知メッセージが該ターゲットセルによって確定された上記情報を含み、それによって該端末装置は端末装置の少なくとも一つのアップリンク伝送チャネルに対応するビームを用いてアップリンク伝送チャネルを伝送することができる。該端末装置の少なくとも一つのアップリンク伝送チャネルに対応するビームがターゲットセルによって測定信号を測定して確定されるため、該端末装置は、各送信ビームを用いて信号を送信し、さらにターゲットセルの受信ビームとのマッチング度合いが高い送信ビームを確定することを、順次試み、アクセス遅延が大きいという問題を引き起こすことなく、直接該少なくとも一つのアップリンク伝送チャネルに対応するビームで該ターゲットセルにアクセスすることができる。
【０１１６】
選択可能に、いくつかの実施例では、前記測定信号はさらに前記ターゲットセルが前記ターゲットセルの少なくとも一つのアップリンク伝送チャネルに対応するビームを確定することに用いられる。
【０１１７】
つまり、該ターゲットセルは該測定信号に基づいて端末装置の少なくとも一つのアップリンク伝送チャネルに対応するビーム（該ビームがアップリンク伝送のための送信ビームである）だけでなく、ターゲットセルの少なくとも一つのアップリンク伝送チャネルに対応するビーム（該ビームがアップリンク伝送のための受信ビームである）を確定することができ、上記送信ビームと受信ビームがマッチング度合いの高いビームであるため、ターゲットセルは該ターゲットセルの少なくとも一つのアップリンク伝送チャネルに対応するビームを用いることができ、該端末装置は端末装置の少なくとも一つのアップリンク伝送チャネルに対応するビームを用いてアップリンク伝送を行うことができ、そのため、アップリンク伝送性能が向上する。
【０１１８】
選択可能に、いくつかの実施例では、前記端末装置の少なくとも一つのアップリンク伝送チャネルに対応するビームの識別情報は前記端末装置の少なくとも一つのアップリンク伝送チャネルに対応するビームのビーム識別子又は番号を含み、
前記少なくとも一つのアップリンク伝送チャネルを伝送するためのリソース情報は、
前記少なくとも一つのアップリンク伝送チャネルを伝送するための時間領域リソースの情報と前記少なくとも一つのアップリンク伝送チャネルを伝送するための周波数領域リソースの情報のうちの少なくとも一つを含む。
【０１１９】
選択可能に、いくつかの実施例では、前記測定信号は前記端末装置の周期的に送信される信号である。
【０１２０】
具体的には、端末装置が第一の信号を周期的に送信している場合、該ソースセルは該第一の信号の情報に基づき、該測定信号の配置情報を測定することもでき、即ち該端末装置が送信している信号をターゲットセルが測定する測定信号として用いることができる。
【０１２１】
選択可能に、いくつかの実施例では、前記方法はさらに、
前記端末装置が前記ソースセルから送信された前記測定信号の配置情報を受信し、前記測定信号の配置情報が前記ソースセルとターゲットセルのネゴシエーションによって確定され、前記測定信号の配置情報が、前記端末装置が前記測定信号の配置情報に基づいて前記測定信号を送信することに用いられることを含む。
【０１２２】
ここで、前記測定信号の配置情報は、
前記測定信号を送信するための時間領域リソースの情報、前記測定信号を送信するための周波数領域リソースの情報、前記測定信号を送信するためのチャネル又は信号リソースの情報と前記測定信号の送信方式のうちの少なくとも一つを含む。
【０１２３】
つまり、該測定信号の配置情報が該ソースセルとターゲットセルによってシグナリングインタラクションを通じて確定されてもよく、該ソースセルとターゲットセルが異なるネットワーク装置に属し、該測定信号の配置情報はこの２つのネットワーク装置によってシグナリングインタラクションを通じて確定されてもよく、該ソースセルとターゲットセルが同一のネットワーク装置に属し、該測定信号の配置情報はこの一つのネットワーク装置によって確定されてもよい。
【０１２４】
選択可能に、いくつかの実施例では、前記方法はさらに、
前記端末装置が前記ターゲットセルによって確定された前記端末装置の少なくとも一つのアップリンク伝送チャネルに対応するビームの識別情報に対応するビームを用い、前記少なくとも一つのアップリンク伝送チャネルを伝送するためのリソース情報に示されるリソースでランダムアクセス信号を送信し、前記ターゲットセルにアクセスすることを含む。
【０１２５】
具体的には、該端末装置は該ソースセルから送信された通知メッセージを受信した後、前記端末装置の少なくとも一つのアップリンク伝送チャネルに対応するビームの識別情報、及び／又は前記少なくとも一つのアップリンク伝送チャネルを伝送するためのリソース情報を知ることができ、これにより該端末装置は該端末装置の少なくとも一つのアップリンク伝送チャネルに対応するビームの識別情報に対応するビームを用い、前記少なくとも一つのアップリンク伝送チャネルを伝送するための該リソース情報に示されるリソースでランダムアクセスに関連する信号、例えば、ランダムアクセスプリアンブルなどを送信し、前記ターゲットセルにアクセスする。
【０１２６】
選択可能に、いくつかの実施例では、前記ソースセルとターゲットセルは同一のネットワーク装置に属する。
【０１２７】
この場合、ソースセルとターゲットセルの間の該端末装置のハンドオーバが局内ハンドオーバに属し、該ソースセルとターゲットセルによる該測定信号の配置情報のネゴシエーションは図２に示すＳ２０５で実行されてもよく、ソースセルから送信された通知メッセージへの該端末装置の受信はＳ２０６で実行されてもよい。
【０１２８】
選択可能に、いくつかの実施例では、前記ソースセルとターゲットセルは異なるネットワーク装置に属する。
【０１２９】
この場合、ソースセルとターゲットセルの間の該端末装置のハンドオーバが局間ハンドオーバに属し、Ｘ２インタフェースに基づく局間ハンドオーバの場合、ソースセルから送信された通知メッセージへの該端末装置の受信は図３に示すＳ３０８で実行されてもよい。又はＳ１インタフェースに基づく局間ハンドオーバの場合、ソースセルから送信された通知メッセージへの該端末装置の受信は図４に示すＳ４１０で実行されてもよい。
【０１３０】
以上に図５及び図６と組み合わせ、ターゲットセルと端末装置の観点から本発明の実施例による情報伝送方法を詳細に説明し、以下に図７と組み合わせ、ソースセルの観点から本発明の実施例による情報伝送方法を詳細に説明する。理解すべきものとして、ソースセル側の説明が端末装置とターゲットセル側の説明に相互に対応し、同様の内容について上記を参照でき、繰り返しを回避するために、ここで説明を省略しない。
【０１３１】
図７はソースセルの観点から説明される本出願の実施例による情報伝送方法７００の概略フローチャートである。具体的には、該方法７００はソースセルの属するネットワーク装置によって実行されてもよい。図７に示すように、該方法７００は以下を含む。
【０１３２】
Ｓ７０１において、ソースセルはターゲットセルから送信された第一の通知メッセージを受信し、前記第一の通知メッセージが前記ターゲットセルによって確定された端末装置の少なくとも一つのアップリンク伝送チャネルに対応するビームの識別情報、及び／又は前記少なくとも一つのアップリンク伝送チャネルを伝送するためのリソース情報を含む。
【０１３３】
Ｓ７０２において、前記ソースセルは前記端末装置へ第二の通知メッセージを送信し、前記第二の通知メッセージが前記ターゲットセルによって確定された前記端末装置の少なくとも一つのアップリンク伝送チャネルに対応するビームの識別情報、及び／又は前記少なくとも一つのアップリンク伝送チャネルを伝送するためのリソース情報を含む。
【０１３４】
具体的には、該ソースセルとターゲットセルが同一のネットワーク装置におけるセルであってもよく、異なるネットワーク装置におけるセルであってもよく、該ソースセルは、ターゲットセルから送信された第一の通知メッセージを受信することができ、前記第一の通知メッセージがターゲットセルによって確定された端末装置の少なくとも一つのアップリンク伝送チャネルに対応するビームの識別情報、及び／又は前記少なくとも一つのアップリンク伝送チャネルを伝送するためのリソース情報を含む。該ソースセルはさらに端末装置から送信された第二の通知メッセージを受信することができ、該第二の通知メッセージがターゲットセルによって確定された端末装置の少なくとも一つのアップリンク伝送チャネルに対応するビームの識別情報、及び／又は前記少なくとも一つのアップリンク伝送チャネルを伝送するためのリソース情報を含むため、該端末装置は、該ターゲットセルにハンドオーバされる前に、どのビームを用いてターゲットセルへランダムアクセスに関連する信号例えばランダムアクセスプリアンブルなどを送信するかを知ることができ、各送信ビームを用いてランダムアクセスに関連する信号を送信することを順次試みることなく、そのため、ランダムアクセスの遅延が低減される。
【０１３５】
選択可能に、いくつかの実施例では、前記端末装置の少なくとも一つのアップリンク伝送チャネルに対応するビームの識別情報、及び／又は前記少なくとも一つのアップリンク伝送チャネルを伝送するためのリソース情報は、前記ターゲットセルによって測定信号の配置情報に示されるリソースで測定信号を測定して確定され、前記測定信号は前記端末装置によって前記測定信号の配置情報に示されるリソースで送信される。
【０１３６】
つまり、端末装置は該測定信号の配置情報に示されるリソースで測定信号を送信することができ、該ターゲットセルは該リソースで該端末装置から送信された測定信号を測定することができ、それによって端末装置の少なくとも一つのアップリンク伝送チャネルに対応するビームの識別情報、又は前記少なくとも一つのアップリンク伝送チャネルを伝送するためのリソース情報、少なくとも一つのアップリンク伝送チャネルに対応するビームの識別情報と前記少なくとも一つのアップリンク伝送チャネルを伝送するあめのリソース情報を確定する。
【０１３７】
選択可能に、いくつかの実施例では、前記測定信号の配置情報は、
前記測定信号を送信するための時間領域リソースの情報、前記測定信号を送信するための周波数領域リソースの情報、前記測定信号を送信するためのチャネル又は信号リソースの情報と前記測定信号の送信方式のうちの少なくとも一つを含む。
【０１３８】
選択可能に、いくつかの実施例では、前記測定信号の配置情報は前記ソースセルとターゲットセルとのネゴシエーションによって確定される。
【０１３９】
つまり、該測定信号の配置情報が該ソースセルとターゲットセルによってシグナリングインタラクションを通じて確定されてもよく、該ソースセルとターゲットセルが異なるネットワーク装置に属し、該測定信号の配置情報はこの２つのネットワーク装置によってシグナリングインタラクションを通じて確定されてもよく、該ソースセルとターゲットセルが同一のネットワーク装置に属し、該測定信号の配置情報はこの一つのネットワーク装置によって確定されてもよい。
【０１４０】
選択可能に、いくつかの実施例では、前記測定信号の配置情報が前記ソースセルによって前記端末装置の周期的に送信される信号の情報に基づいて確定され、前記方法はさらに、
前記ソースセルが前記ターゲットセルへ前記測定信号の配置情報を送信することを含む。
【０１４１】
具体的には、端末装置が第一の信号を周期的に送信している場合、該ソースセルは該第一の信号の情報に基づき、該測定信号の配置情報を測定することもでき、即ち該端末装置が送信している信号をターゲットセルが測定する測定信号として用いることもできる。
【０１４２】
測定信号の送信方式は周期的送信、非周期的送信、又はトリガ式送信などを含むことができる。
【０１４３】
選択可能に、いくつかの実施例では、前記端末装置の少なくとも一つのアップリンク伝送チャネルに対応するビームの識別情報は前記端末装置の少なくとも一つのアップリンク伝送チャネルに対応するビームのビーム識別子又は番号を含み、
前記少なくとも一つのアップリンク伝送チャネルを伝送するためのリソース情報は、
前記少なくとも一つのアップリンク伝送チャネルを伝送するための時間領域リソースの情報と前記少なくとも一つのアップリンク伝送チャネルを伝送するための周波数領域リソースの情報のうちの少なくとも一つを含む。
【０１４４】
選択可能に、いくつかの実施例では、前記ソースセルと前記ターゲットセルは同一のネットワーク装置に属する。
【０１４５】
この場合、ソースセルとターゲットセルの間の該端末装置のハンドオーバが局内ハンドオーバに属し、該ソースセルとターゲットセルによる該測定信号の配置情報のネゴシエーション、及び該ターゲットセルから該ソースセルへの第一の通知メッセージの送信が全て図２に示すＳ２０５で実行されてもよい。該ソースセルから端末装置への通知メッセージの送信はＳ２０６で実行されてもよい。
【０１４６】
選択可能に、いくつかの実施例では、ソースセルと前記ターゲットセルは異なるネットワーク装置に属する。
【０１４７】
この場合、ソースセルとターゲットセルの間の該端末装置のハンドオーバが局間ハンドオーバに属し、Ｘ２インタフェースに基づく局間ハンドオーバの場合、該ソースセルとターゲットセルによる該測定信号の配置情報のネゴシエーション、又は該ターゲットセルから該ソースセルへの第一の通知メッセージの送信が全て図３に示すＳ３０５とＳ３０７で実行されてもよい。つまり、該ソースセルとターゲットセルはハンドオーバリクエストメッセージとハンドオーバリクエスト確認メッセージによって該測定信号の配置情報をネゴシエートすることができ、又は該第一の通知メッセージはハンドオーバリクエスト確認メッセージであってもよい。該ソースセルから端末装置への通知メッセージの送信は図３に示すＳ３０８で実行されてもよく、即ち該通知メッセージはＲＲＣ接続再設定メッセージであってもよい。又は、Ｓ１インタフェースに基づく局間ハンドオーバの場合、該ソースセルとターゲットセルによる該測定信号の配置情報のネゴシエーションは図４に示すＳ４０５、Ｓ４０６、Ｓ４０８とＳ４０９のうちの一部のステップで実行されてもよい。端末装置から送信された通知メッセージへの該ソースセルの受信は、図４に示すＳ４１０で実行されてもよく、即ち該通知メッセージはＲＲＣ接続再設定メッセージであってもよい。
【０１４８】
以上に図５〜図７と組み合わせて本出願の実施例による情報伝送方法を説明し、以下に図８〜図１３と組み合わせて本出願の実施例による装置の実施例を説明し、理解すべきものとして、装置の実施例は方法の実施例に相互に対応し、同様の説明について方法の実施例を参照できる。
【０１４９】
以上に図５〜図７と組み合わせて本出願の実施例による情報伝送方法を説明し、以下に図８−図１３と組み合わせて本出願の実施例による装置を説明する。
【０１５０】
図８は本出願の実施例によるネットワーク装置の概略ブロック図である。図８に示すように、該ネットワーク装置８００は以下を含む。
【０１５１】
取得ユニット８１０は、測定信号の配置情報を取得するように構成され、前記測定信号の配置情報が、端末装置が前記測定信号の配置情報に基づいて前記測定信号を送信することに用いられる。
【０１５２】
確定ユニット８２０は、前記端末装置から送信された前記測定信号に基づき、前記ネットワーク装置の少なくとも一つのアップリンク伝送チャネルに対応するビームを確定するように構成される。
【０１５３】
送受信ユニット８３０は、前記ネットワーク装置の少なくとも一つのアップリンク伝送チャネルに対応するビームを用いて前記少なくとも一つのアップリンク伝送チャネルを伝送するように構成され、前記ネットワーク装置がターゲットセルの属するネットワーク装置である。
【０１５４】
選択可能に、いくつかの実施例では、前記確定ユニット８２０はさらに、
前記端末装置から送信された前記測定信号に基づき、前記端末装置の少なくとも一つのアップリンク伝送チャネルに対応するビームの識別情報、及び／又は前記少なくとも一つのアップリンク伝送チャネルを伝送するためのリソース情報を確定するように構成される。
【０１５５】
前記送受信ユニット８３０はさらに、
第一のネットワーク装置へ第一の通知メッセージを送信するように構成され、前記第一の通知メッセージが前記ネットワーク装置によって確定された前記端末装置の少なくとも一つのアップリンク伝送チャネルに対応するビームの識別情報、及び／又は前記少なくとも一つのアップリンク伝送チャネルを伝送するためのリソース情報を含み、前記第一のネットワーク装置がソースセルの属するネットワーク装置である。
【０１５６】
選択可能に、いくつかの実施例では、前記測定信号の配置情報は、
前記測定信号を送信するための時間領域リソースの情報、前記測定信号を送信するための周波数領域リソースの情報、前記測定信号を送信するためのチャネル又は信号リソースの情報と前記測定信号の送信方式のうちの少なくとも一つを含む。
【０１５７】
選択可能に、いくつかの実施例では、前記測定信号の配置情報は第一のネットワーク装置と前記ネットワーク装置のネゴシエーションによって確定される。
【０１５８】
選択可能に、いくつかの実施例では、前記送受信ユニット８３０はさらに、
前記第一のネットワーク装置から送信された前記測定信号の配置情報を受信するように構成され、前記測定信号の配置情報が前記第一のネットワーク装置によって前記端末装置の周期的に送信される信号の情報に基づいて確定される。
【０１５９】
選択可能に、いくつかの実施例では、前記端末装置の少なくとも一つのアップリンク伝送チャネルに対応するビームの識別情報は端末装置の少なくとも一つのアップリンク伝送チャネルに対応するビームのビーム識別子又は番号を含み、
前記少なくとも一つのアップリンク伝送チャネルを伝送するためのリソース情報は、
前記少なくとも一つのアップリンク伝送チャネルを伝送するための時間領域リソースの情報と前記少なくとも一つのアップリンク伝送チャネルを伝送するための周波数領域リソースの情報のうちの少なくとも一つを含む。
【０１６０】
選択可能に、第一のネットワーク装置と前記第二のネットワークは同一のネットワーク装置に属する。
【０１６１】
例えば、該第一のネットワーク装置と該ネットワーク装置は同一の物理基地局であってもよい。
【０１６２】
選択可能に、いくつかの実施例では、第一のネットワーク装置と前記ネットワークは異なるネットワーク装置に属する。
【０１６３】
例えば、該第一のネットワーク装置と該ネットワーク装置は異なる物理基地局であってもよい。
【０１６４】
理解すべきものとして、該ネットワーク装置８００は上記方法５００におけるターゲットセルに対応してもよく、該ターゲットセルの対応する機能を実現することができ、簡潔にするために、ここで説明を省略する。
【０１６５】
図９は本出願の実施例による端末装置の概略ブロック図である。図９に示すように、該端末装置９００は以下を含む。
【０１６６】
送信ユニット９１０は、測定信号を送信するように構成され、前記測定信号が、第一のネットワーク装置が前記端末装置の少なくとも一つのアップリンク伝送チャネルに対応するビームの識別情報、及び／又は前記少なくとも一つのアップリンク伝送チャネルを伝送するためのリソース情報を含み、前記第一のネットワーク装置がターゲットセルの属するネットワーク装置である。
【０１６７】
受信ユニット９２０は、第二のネットワーク装置からの通知メッセージを受信するように構成され、前記通知メッセージが前記第二のネットワーク装置によって確定された前記端末装置の少なくとも一つのアップリンク伝送チャネルに対応するビームの識別情報、及び／又は前記少なくとも一つのアップリンク伝送チャネルを伝送するためのリソース情報を含み、前記第二のネットワーク装置がソースセルの属するネットワーク装置である。
【０１６８】
選択可能に、いくつかの実施例では、前記端末装置の少なくとも一つのアップリンク伝送チャネルに対応するビームの識別情報は前記端末装置の少なくとも一つのアップリンク伝送チャネルに対応するビームのビーム識別子又は番号を含み、
前記少なくとも一つのアップリンク伝送チャネルを伝送するためのリソース情報は、
前記少なくとも一つのアップリンク伝送チャネルを伝送するための時間領域リソースの情報と前記少なくとも一つのアップリンク伝送チャネルを伝送するための周波数領域リソースの情報のうちの少なくとも一つを含む。
【０１６９】
選択可能に、いくつかの実施例では、前記測定信号は前記端末装置によって周期的に送信される信号である。
【０１７０】
選択可能に、いくつかの実施例では、前記受信ユニット９２０はさらに、
前記第二のネットワーク装置から送信された前記測定信号の配置情報を受信するように構成され、前記測定信号の配置情報が前記第一のネットワーク装置と第二のネットワーク装置のネゴシエーションによって確定され、前記測定信号の配置情報が、前記端末装置が前記測定信号の配置情報に基づいて前記測定信号を送信することに用いられる。
【０１７１】
選択可能に、いくつかの実施例では、前記測定信号の配置情報は、
前記測定信号を送信するための時間領域リソースの情報、前記測定信号を送信するための周波数領域リソースの情報、前記測定信号を送信するためのチャネル又は信号リソースの情報と前記測定信号の送信方式のうちの少なくとも一つを含む。
【０１７２】
選択可能に、いくつかの実施例では、前記送信ユニット９１００はさらに、
前記第一のネットワーク装置によって確定された前記端末装置の少なくとも一つのアップリンク伝送チャネルに対応するビームの識別情報に対応するビームを用い、前記少なくとも一つのアップリンク伝送チャネルを伝送するためのリソース情報に示されるリソースでランダムアクセス信号を送信し、前記第二のネットワーク装置にアクセスするように構成される。
【０１７３】
選択可能に、いくつかの実施例では、前記測定信号はさらに前記第一のネットワーク装置が前記第一のネットワーク装置の少なくとも一つのアップリンク伝送チャネルに対応するビームを確定することに用いられる。
【０１７４】
選択可能に、前記第一のネットワーク装置と前記ネットワークは同一のネットワーク装置に属する。
【０１７５】
例えば、該第一のネットワーク装置と該第二のネットワーク装置は同一の物理基地局であってもよい。
【０１７６】
選択可能に、いくつかの実施例では、前記第一のネットワーク装置と前記第二のネットワークは異なるネットワーク装置に属する。
【０１７７】
例えば、該第一のネットワーク装置と該第二のネットワーク装置は異なる物理基地局であってもよい。
【０１７８】
理解すべきものとして、該端末装置９００は方法６００における端末装置に対応してもよく、該端末装置の対応する機能を実現することができ、簡潔にするために、ここで説明を省略する。
【０１７９】
図１０は本出願の実施例によるネットワーク装置の概略ブロック図である。図１０に示すように、該ネットワーク装置１０００は以下を含む。
【０１８０】
受信ユニット１０１０は、第一のネットワーク装置から送信された第一の通知メッセージを受信するように構成され、前記第一の通知メッセージが前記第一のネットワーク装置によって確定された端末装置の少なくとも一つのアップリンク伝送チャネルに対応するビームの識別情報、及び／又は前記少なくとも一つのアップリンク伝送チャネルを伝送するためのリソース情報を含み、前記ネットワーク装置がソースセルの属するネットワーク装置であり、前記第一のネットワーク装置がターゲットセルの属するネットワーク装置である。
【０１８１】
送信ユニット１０２０は、前記端末装置へ第二の通知メッセージを送信するように構成され、前記第二の通知メッセージが前記第一のネットワーク装置によって確定された前記端末装置の少なくとも一つのアップリンク伝送チャネルに対応するビームの識別情報、及び／又は前記少なくとも一つのアップリンク伝送チャネルを伝送するためのリソース情報を含む。
【０１８２】
選択可能に、いくつかの実施例では、前記端末装置の少なくとも一つのアップリンク伝送チャネルに対応するビームの識別情報、及び／又は前記少なくとも一つのアップリンク伝送チャネルを伝送するためのリソース情報は、前記第一のネットワーク装置によって測定信号の配置情報に示されるリソースで測定信号を測定して確定され、前記測定信号は前記端末装置によって前記測定信号の配置情報に示されるリソースで送信される。
【０１８３】
選択可能に、いくつかの実施例では、前記測定信号の配置情報は前記ネットワーク装置と前記第一のネットワーク装置のネゴシエーションによって確定される。
【０１８４】
選択可能に、いくつかの実施例では、前記測定信号の配置情報が前記ネットワーク装置によって前記端末装置の周期的に送信される信号の情報に基づいて確定され、前記送信ユニット１０２０はさらに、
前記第一のネットワーク装置へ前記測定信号の配置情報を送信するように構成される。
【０１８５】
選択可能に、いくつかの実施例では、前記測定信号の配置情報は、
前記測定信号を送信するための時間領域リソースの情報、前記測定信号を送信するための周波数領域リソースの情報、前記測定信号を送信するためのチャネル又は信号リソースの情報と前記測定信号の送信方式のうちの少なくとも一つを含む。
【０１８６】
選択可能に、いくつかの実施例では、前記少なくとも一つのアップリンク伝送チャネルに対応するビームの識別情報は前記少なくとも一つのアップリンク伝送チャネルに対応するビームのビーム識別子又は番号を含み、
前記少なくとも一つのアップリンク伝送チャネルを伝送するためのリソース情報は、
前記少なくとも一つのアップリンク伝送チャネルを伝送するための時間領域リソースの情報と前記少なくとも一つのアップリンク伝送チャネルを伝送するための周波数領域リソースの情報のうちの少なくとも一つを含む。
【０１８７】
選択可能に、第一のネットワーク装置と前記ネットワークは同一のネットワーク装置に属する。
【０１８８】
例えば、該第一のネットワーク装置と該ネットワーク装置は同一の物理基地局であってもよい。
【０１８９】
選択可能に、いくつかの実施例では、第一のネットワーク装置と前記ネットワークは異なるネットワーク装置に属する。
【０１９０】
例えば、該第一のネットワーク装置と該ネットワーク装置は異なる物理基地局であってもよい。
【０１９１】
理解すべきものとして、該ネットワーク装置１０００は上記方法７００におけるソースセルに対応してもよく、該ソースセルの対応する機能を実現することができ、簡潔にするために、ここで説明を省略する。
【０１９２】
図１１は本出願の実施例によるネットワーク装置の概略ブロック図である。図１１に示すように、該ネットワーク装置１１００は、メモリ１１１０、プロセッサ１１２０と送受信機１１３０を備え、前記メモリ１１１０がプログラムを記憶するように構成され、前記プロセッサ１１２０がプログラムを実行するように構成され、前記プログラムが実行される時に、前記プロセッサ１１２０が測定信号の配置情報を取得し、前記測定信号の配置情報が、端末装置が前記測定信号の配置情報に基づいて前記測定信号を送信することに用いられ、前記端末装置から送信された前記測定信号に基づき、前記ネットワーク装置の少なくとも一つのアップリンク伝送チャネルに対応するビームを確定するように構成され、前記送受信機１１３０が前記ネットワーク装置の少なくとも一つのアップリンク伝送チャネルに対応するビームを用いて前記少なくとも一つのアップリンク伝送チャネルを伝送するように構成され、前記ネットワーク装置がターゲットセルの属するネットワーク装置である。
【０１９３】
選択可能に、いくつかの実施例では、前記プロセッサ１１２０はさらに、
前記端末装置から送信された前記測定信号に基づき、前記端末装置の少なくとも一つのアップリンク伝送チャネルに対応するビームの識別情報、及び／又は前記少なくとも一つのアップリンク伝送チャネルを伝送するためのリソース情報を確定するように構成される。
【０１９４】
前記送受信機１１３０はさらに、
第一のネットワーク装置へ第一の通知メッセージを送信するように構成され、前記第一の通知メッセージが前記ネットワーク装置によって確定された前記端末装置の少なくとも一つのアップリンク伝送チャネルに対応するビームの識別情報、及び／又は前記少なくとも一つのアップリンク伝送チャネルを伝送するためのリソース情報を含み、前記第一のネットワーク装置がソースセルの属するネットワーク装置である。
【０１９５】
選択可能に、いくつかの実施例では、前記測定信号の配置情報は、
前記測定信号を送信するための時間領域リソースの情報、前記測定信号を送信するための周波数領域リソースの情報、前記測定信号を送信するためのチャネル又は信号リソースの情報と前記測定信号の送信方式のうちの少なくとも一つを含む。
【０１９６】
選択可能に、いくつかの実施例では、前記測定信号の配置情報は第一のネットワーク装置と前記ネットワーク装置のネゴシエーションによって確定される。
【０１９７】
選択可能に、いくつかの実施例では、前記送受信機１１３０はさらに、
前記第一のネットワーク装置から送信された前記測定信号の配置情報を受信するように構成され、前記測定信号の配置情報が前記第一のネットワーク装置によって前記端末装置の周期的に送信される信号の情報に基づいて確定される。
【０１９８】
選択可能に、いくつかの実施例では、前記端末装置の少なくとも一つのアップリンク伝送チャネルに対応するビームの識別情報は前記端末装置の少なくとも一つのアップリンク伝送チャネルに対応するビームのビーム識別子又は番号を含み、
前記少なくとも一つのアップリンク伝送チャネルを伝送するためのリソース情報は、
前記少なくとも一つのアップリンク伝送チャネルを伝送するための時間領域リソースの情報と前記少なくとも一つのアップリンク伝送チャネルを伝送するための周波数領域リソースの情報のうちの少なくとも一つを含む。
【０１９９】
選択可能に、第一のネットワーク装置と前記ネットワークは同一のネットワーク装置に属する。
【０２００】
例えば、該第一のネットワーク装置と該ネットワーク装置は同一の物理基地局であってもよい。
【０２０１】
選択可能に、いくつかの実施例では、第一のネットワーク装置と前記ネットワークは異なるネットワーク装置に属する。
【０２０２】
例えば、該第一のネットワーク装置と該ネットワーク装置は異なる物理基地局であってもよい。
【０２０３】
理解すべきものとして、該ネットワーク装置１１００は上記方法５００におけるターゲットセルに対応してもよく、該ターゲットセルの対応する機能を実現することができ、簡潔にするために、ここで説明を省略する。
【０２０４】
図１２は本出願の実施例による端末装置の概略ブロック図である。図１２に示すように、該端末装置１２００は、
メモリ１２１０、プロセッサ１２２０と送受信機１２３０を備え、前記メモリ１２１０がプログラムを記憶するように構成され、前記プロセッサ１２２０がプログラムを実行するように構成され、該プロセッサ１２２０がプログラムを実行し、測定信号を送信するように送受信機１２３０を制御することができ、前記測定信号が、第一のネットワーク装置が前記端末装置の少なくとも一つのアップリンク伝送チャネルに対応するビームの識別情報、及び／又は前記少なくとも一つのアップリンク伝送チャネルを伝送するためのリソース情報を確定することに用いられ、前記第一のネットワーク装置がターゲットセルの属するネットワーク装置であり、第二のネットワーク装置からの通知メッセージを受信し、前記通知メッセージが前記第二のネットワーク装置によって確定された前記端末装置の少なくとも一つのアップリンク伝送チャネルに対応するビームの識別情報、及び／又は前記少なくとも一つのアップリンク伝送チャネルを伝送するためのリソース情報を含み、前記第二のネットワーク装置がソースセルの属するネットワーク装置である。
【０２０５】
選択可能に、いくつかの実施例では、前記端末装置の少なくとも一つのアップリンク伝送チャネルに対応するビームの識別情報は端末装置の少なくとも一つのアップリンク伝送チャネルに対応するビームのビーム識別子又は番号を含み、
前記少なくとも一つのアップリンク伝送チャネルを伝送するためのリソース情報は、
前記少なくとも一つのアップリンク伝送チャネルを伝送するための時間領域リソースの情報と前記少なくとも一つのアップリンク伝送チャネルを伝送するための周波数領域リソースの情報のうちの少なくとも一つを含む。
【０２０６】
選択可能に、いくつかの実施例では、前記測定信号は前記端末装置の周期的に送信される信号である。
【０２０７】
選択可能に、いくつかの実施例では、前記送受信機１２３０はさらに、
前記第二のネットワーク装置から送信された前記測定信号の配置情報を受信するように構成され、前記測定信号の配置情報が前記第一のネットワーク装置と第二のネットワーク装置のネゴシエーションによって確定され、前記測定信号の配置情報が、前記端末装置が前記測定信号の配置情報に基づいて前記測定信号を送信することに用いられる。
【０２０８】
選択可能に、いくつかの実施例では、前記測定信号の配置情報は、
前記測定信号を送信するための時間領域リソースの情報、前記測定信号を送信するための周波数領域リソースの情報、前記測定信号を送信するためのチャネル又は信号リソースの情報と前記測定信号の送信方式のうちの少なくとも一つを含む。
【０２０９】
選択可能に、いくつかの実施例では、前記送受信機１２３０はさらに、
前記第一のネットワーク装置によって確定された前記端末装置の少なくとも一つのアップリンク伝送チャネルに対応するビームの識別情報に対応するビームを用い、前記少なくとも一つのアップリンク伝送チャネルを伝送するためのリソース情報に示されるリソースでランダムアクセス信号を送信し、前記第二のネットワーク装置にアクセスするように構成される。
【０２１０】
選択可能に、いくつかの実施例では、前記測定信号はさらに前記第一のネットワーク装置が前記第一のネットワーク装置の少なくとも一つのアップリンク伝送チャネルに対応するビームを確定することに用いられる。
【０２１１】
選択可能に、前記第一のネットワーク装置と前記ネットワークは同一のネットワーク装置に属する。
【０２１２】
例えば、該第一のネットワーク装置と該第二のネットワーク装置は同一の物理基地局であってもよい。
【０２１３】
選択可能に、いくつかの実施例では、前記第一のネットワーク装置と前記第二のネットワークは異なるネットワーク装置に属する。
【０２１４】
例えば、該第一のネットワーク装置と該第二のネットワーク装置は異なる物理基地局であってもよい。
【０２１５】
理解すべきものとして、該端末装置１２００は方法６００における端末装置に対応してもよく、該端末装置の対応する機能を実現することができ、簡潔にするために、ここで説明を省略する。
【０２１６】
図１３は本出願の実施例によるネットワーク装置の概略ブロック図である。図１３に示すように、該ネットワーク装置１３００は、メモリ１３１０、プロセッサ１３２０と送受信機１３３０を備え、前記メモリ１３１０がプログラムを記憶するように構成され、前記プロセッサ１３２０がプログラムを実行するように構成され、該プロセッサ１３２０がプログラムを実行し、第一のネットワーク装置から送信された第一の通知メッセージを受信するように送受信機１３３０を制御することができ、前記第一の通知メッセージが前記第一のネットワーク装置によって確定された端末装置の少なくとも一つのアップリンク伝送チャネルに対応するビームの識別情報、及び／又は前記少なくとも一つのアップリンク伝送チャネルを伝送するためのリソース情報を含み、前記ネットワーク装置がソースセルの属するネットワーク装置であり、前記第一のネットワーク装置がターゲットセルの属するネットワーク装置であり、前記端末装置へ第二の通知メッセージを送信し、前記第二の通知メッセージが前記第一のネットワーク装置によって確定された前記端末装置の少なくとも一つのアップリンク伝送チャネルに対応するビームの識別情報、及び／又は前記少なくとも一つのアップリンク伝送チャネルを伝送するためのリソース情報を含む。
【０２１７】
選択可能に、いくつかの実施例では、前記端末装置の少なくとも一つのアップリンク伝送チャネルに対応するビームの識別情報、及び／又は前記少なくとも一つのアップリンク伝送チャネルを伝送するためのリソース情報は、前記第一のネットワーク装置によって測定信号の配置情報に示されるリソースで測定信号を測定して確定され、前記測定信号は前記端末装置によって前記測定信号の配置情報に示されるリソースで送信される。
【０２１８】
選択可能に、いくつかの実施例では、前記測定信号の配置情報は前記ネットワーク装置と第一のネットワーク装置のネゴシエーションによって確定される。
【０２１９】
選択可能に、いくつかの実施例では、前記測定信号の配置情報が前記ネットワーク装置によって前記端末装置の周期的に送信される信号の情報に基づいて確定され、前記送受信機１３３０はさらに、
前記第一のネットワーク装置へ前記測定信号の配置情報を送信するように構成される。
【０２２０】
選択可能に、いくつかの実施例では、前記測定信号の配置情報は、
前記測定信号を送信するための時間領域リソースの情報、前記測定信号を送信するための周波数領域リソースの情報、前記測定信号を送信するためのチャネル又は信号リソースの情報と前記測定信号の送信方式のうちの少なくとも一つを含む。
【０２２１】
選択可能に、いくつかの実施例では、前記少なくとも一つのアップリンク伝送チャネルに対応するビームの識別情報は前記少なくとも一つのアップリンク伝送チャネルに対応するビームのビーム識別子又は番号を含み、
前記少なくとも一つのアップリンク伝送チャネルを伝送するためのリソース情報は、
前記少なくとも一つのアップリンク伝送チャネルを伝送するための時間領域リソースの情報と前記少なくとも一つのアップリンク伝送チャネルを伝送するための周波数領域リソースの情報のうちの少なくとも一つを含む。
【０２２２】
選択可能に、第一のネットワーク装置と前記ネットワークは同一のネットワーク装置に属する。
【０２２３】
例えば、該第一のネットワーク装置と該ネットワーク装置は同一の物理基地局であってもよい。
【０２２４】
選択可能に、いくつかの実施例では、第一のネットワーク装置と前記ネットワークは異なるネットワーク装置に属する。
【０２２５】
例えば、該第一のネットワーク装置と該ネットワーク装置は異なる物理基地局であってもよい。
【０２２６】
理解すべきものとして、該ネットワーク装置１３００は上記方法７００におけるソースセルに対応してもよく、該ソースセルの対応する機能を実現することができ、簡潔にするために、ここで説明を省略する。
【０２２７】
理解すべきものとして、本明細書では用語「及び／又は」は、関連するオブジェクトの関連関係を記述するためのものだけであり、３種類の関係が存在してもよいことを示し、Ａ及び／又はＢは、Ａが単独で存在すること、ＡとＢが同時に存在すること、Ｂが単独で存在することの３つの状況を示すことができる。また、本明細書では文字「／」は、一般的に前後にある関連オブジェクトが「又は」の関係であることを示す。
【０２２８】
本出願の様々な実施例では、上記各プロセスの番号の大きさが実行順序を意味せず、各プロセスの実行順序はその機能と内部論理で確定されるべきであり、本出願の実施例の実施プロセスのいかなる限定を構成すべきではないと理解すべきである。
【０２２９】
当業者であれば、本明細書で開示された実施例と組み合わせて説明された各例のユニット及びアルゴリズムステップは、電子ハードウェア、又はコンピュータソフトウェアと電子ハードウェアの組み合わせで実現されてもよいと理解できる。これらの機能がハードウエア又はソフトウエアで実行されるかは、技術的解決策の特定応用と設計制約条件に依存する。当業者は各特定の応用に対して異なる方法を用いて記述される機能を実現することが可能であるが、このような実現は本出願の範囲を超えると見なしてはならない。
【０２３０】
当業者は、便利及び簡潔に説明するために、上記のシステム、装置及びユニットの具体的な動作プロセスについて、前記方法の実施例における対応するプロセスを参照できるため、ここでは説明を省略することを明確に理解することができる。
【０２３１】
本出願が提供する、いくつかの実施例では、開示されるシステム、装置および方法は、他の方式により実現されてもよいと理解すべきである。例えば、上記の装置の実施例は例示的なものだけであり、例えば、前記ユニットの区分は、論理機能的区分だけであり、実際に実施する時に他の区分モードもあり得て、例えば複数のユニット又は構成要素は組み合わせられてもよい又は別のシステムに統合されてもよく、又はいくつかの特徴は無視されてもよく、又は実行されなくてもよい。また、示される又は議論される相互結合又は直接結合又は通信接続はいくつかのインターフェース、装置又は機能モジュールを介する間接的結合又は通信接続であってもよく、電気的、機械的又は他の形態であってもよい。
【０２３２】
分離部材として説明された前記ユニットは物理的に分離するものであってもよく又は物理的に分離するものでなくてもよく、ユニットとして表示された部材は物理ユニットであってもよく又は物理的ユニットでなくてもよく、すなわち一つの箇所に位置してもよく、又は複数のネットワークユニットに分布してもよい。実際のニーズに応じてそのうちの一部又は全てのユニットを選択して本実施例の技術的解決策の目的を達成することができる。
【０２３３】
また、本出願の各実施例における各機能ユニットは一つの処理ユニットに統合されてもよく、個々のユニットは単独で物理的に存在してもよく、二つ又は二つ以上のユニットは一つのユニットに統合されてもよい。
【０２３４】
前記機能はソフトウェア機能ユニットの形態で実現され且つ独立した製品として販売又は使用される時に、一つのコンピュータ読み取り可能な記憶媒体に格納されてもよい。このような理解に基づき、本出願の技術的解決策は本質的に又は従来技術に寄与する部分又は該技術的解決策の部分がソフトウェア製品の形で実現されてもよく、該コンピュータソフトウェア製品がコンピュータ装置（パーソナルコンピュータ、サーバ、又はネットワークデバイス等であってもよい）に本出願の様々な実施例に記載された方法の全て又は一部のステップを実行させるためのいくつかの命令を含む、記憶媒体に記憶される。前記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０２３５】
以上は、本出願の実施例の具体的な実施形態だけであるが、本出願の保護範囲はこれに制限されず、当業者が本出願で開示された技術範囲内で容易に想到し得る変化又は入れ替わりが全て本出願の保護範囲以内に含まれるべきである。従って、本出願の保護範囲は前記請求項の保護範囲に準拠するべきである。
【図１】
2020504952.tif 000003
【図２】
2020504952.tif 000004
【図３】
2020504952.tif 000005
【図４】
2020504952.tif 000006
【図５】
2020504952.tif 000007
【図６】
2020504952.tif 000008
【図７】
2020504952.tif 000009
【図８】
2020504952.tif 000010
【図９】
2020504952.tif 000011
【図１０】
2020504952.tif 000012
【図１１】
2020504952.tif 000013
【図１２】
2020504952.tif 000014
【図１３】
2020504952.tif 000015
【手続補正書】
【提出日】令和1年10月30日(2019.10.30)
【手続補正１】
【補正対象書類名】特許請求の範囲
【補正対象項目名】全文
【補正方法】変更
【補正の内容】
【特許請求の範囲】
【請求項１】
情報伝送方法であって、
端末装置が測定信号を送信することであって、前記測定信号が、ターゲットセルが前記端末装置の少なくとも一つのアップリンク伝送チャネルに対応するビームの識別情報、及び／又は前記少なくとも一つのアップリンク伝送チャネルを伝送するためのリソース情報を確定することに用いられることと、
前記端末装置がソースセルの通知メッセージを受信することであって、前記通知メッセージが前記ターゲットセルによって確定された前記端末装置の少なくとも一つのアップリンク伝送チャネルに対応するビームの識別情報、及び／又は前記少なくとも一つのアップリンク伝送チャネルを伝送するためのリソース情報を含むこととを含む、前記情報伝送方法。
【請求項２】
前記端末装置の少なくとも一つのアップリンク伝送チャネルに対応するビームの識別情報は前記端末装置の少なくとも一つのアップリンク伝送チャネルに対応するビームのビーム識別子又は番号を含み、
前記少なくとも一つのアップリンク伝送チャネルを伝送するためのリソース情報は、
前記端末装置の少なくとも一つのアップリンク伝送チャネルを伝送するための時間領域リソースの情報と周波数領域リソースの情報のうちの少なくとも一つを含むことを特徴とする
請求項１に記載の情報伝送方法。
【請求項３】
前記測定信号は前記端末装置によって周期的に送信される信号であることを特徴とする
請求項１又は２に記載の情報伝送方法。
【請求項４】
前記端末装置が前記ソースセルから送信された前記測定信号の配置情報を受信することであって、前記測定信号の配置情報が前記ソースセルと前記ターゲットセルのネゴシエーションによって確定され、前記測定信号の配置情報が、前記端末装置が前記測定信号の配置情報に基づいて前記測定信号を送信することに用いられることをさらに含むことを特徴とする
請求項１−３のいずれか一項に記載の情報伝送方法。
【請求項５】
前記測定信号の配置情報は、
前記測定信号を送信するための時間領域リソースの情報、前記測定信号を送信するための周波数領域リソースの情報、前記測定信号を送信するためのチャネル又は信号リソースの情報と前記測定信号の送信方式のうちの少なくとも一つを含むことを特徴とする
請求項４に記載の情報伝送方法。
【請求項６】
前記端末装置が前記ターゲットセルによって確定された前記端末装置の少なくとも一つのアップリンク伝送チャネルに対応するビームの識別情報に対応するビームを用い、前記少なくとも一つのアップリンク伝送チャネルを伝送するためのリソース情報に示されるリソースでランダムアクセス信号を送信し、前記ターゲットセルにアクセスすることをさらに含むことを特徴とする
請求項１−５のいずれか一項に記載の情報伝送方法。
【請求項７】
端末装置であって、
測定信号を送信するように構成される送信ユニットであって、前記測定信号が、第一のネットワーク装置が前記端末装置の少なくとも一つのアップリンク伝送チャネルに対応するビームの識別情報、及び／又は前記少なくとも一つのアップリンク伝送チャネルを伝送するためのリソース情報を含み、前記第一のネットワーク装置がターゲットセルの属するネットワーク装置である送信ユニットと、
第二のネットワーク装置からの通知メッセージを受信するように構成される受信ユニットであって、前記通知メッセージが前記第二のネットワーク装置によって確定された前記端末装置の少なくとも一つのアップリンク伝送チャネルに対応するビームの識別情報、及び／又は前記少なくとも一つのアップリンク伝送チャネルを伝送するためのリソース情報を含み、前記第二のネットワーク装置がソースセルの属するネットワーク装置である受信ユニットとを備える、前記端末装置。
【請求項８】
前記端末装置の少なくとも一つのアップリンク伝送チャネルに対応するビームの識別情報は端末装置の少なくとも一つのアップリンク伝送チャネルに対応するビームのビーム識別子又は番号を含み、
前記少なくとも一つのアップリンク伝送チャネルを伝送するためのリソース情報は、
前記端末装置の少なくとも一つのアップリンク伝送チャネルを伝送するための時間領域リソースの情報と周波数領域リソースの情報のうちの少なくとも一つを含むことを特徴とする
請求項７に記載の端末装置。
【請求項９】
前記測定信号は前記端末装置の周期的に送信される信号であることを特徴とする
請求項７又は８に記載の端末装置。
【請求項１０】
前記受信ユニットはさらに、
前記第二のネットワーク装置から送信された前記測定信号の配置情報を受信するように構成され、前記測定信号の配置情報が前記第一のネットワーク装置と前記第二のネットワーク装置のネゴシエーションによって確定され、前記測定信号の配置情報が、前記端末装置が前記測定信号の配置情報に基づいて前記測定信号を送信することに用いられることを特徴とする
請求項７又は８に記載の端末装置。
【請求項１１】
前記測定信号の配置情報は、
前記測定信号を送信するための時間領域リソースの情報、前記測定信号を送信するための周波数領域リソースの情報、前記測定信号を送信するためのチャネル又は信号リソースの情報と前記測定信号の送信方式のうちの少なくとも一つを含むことを特徴とする
請求項１０に記載の端末装置。
【請求項１２】
前記端末装置がさらに前記第一のネットワーク装置によって確定された前記端末装置の少なくとも一つのアップリンク伝送チャネルに対応するビームの識別情報に対応するビームを用い、前記少なくとも一つのアップリンク伝送チャネルを伝送するためのリソース情報に示されるリソースでランダムアクセス信号を送信し、前記第二のネットワーク装置にアクセスすることを特徴とする
請求項７−１１のいずれか一項に記載の端末装置。
【請求項１３】
前記測定信号はさらに前記第一のネットワーク装置が前記第一のネットワーク装置の少なくとも一つのアップリンク伝送チャネルに対応するビームを確定することに用いられることを特徴とする
請求項７−１２のいずれか一項に記載の端末装置。
【請求項１４】
前記第一のネットワーク装置と前記第二のネットワーク装置は同一のネットワーク装置であることを特徴とする
請求項７−１３のいずれか一項に記載の端末装置。
【請求項１５】
前記第一のネットワーク装置と前記第二のネットワーク装置は異なるネットワーク装置であることを特徴とする
請求項７−１３のいずれか一項に記載の端末装置。
【国際調査報告】
2020504952.tif 000016
2020504952.tif 000017
2020504952.tif 000018
2020504952.tif 000019